(57)【要約】  本開示の実施形態は、チャネル状態情報（ＣＳＩ）フィードバックのオーバーヘッドを削減するための方法、デバイス、及びコンピュータ読み取り可能な媒体に関する。例示的な実施形態において、端末デバイスで実行される方法は、参照信号と、少なくとも１つのコードブックサブセット制限（ＣＢＳＲ）を示すコードブック構成とを、ネットワークデバイスから受信することと、端末デバイスとネットワークデバイスとの間のビームセットのうち、少なくとも１つのＣＢＳＲに少なくとも部分的に基づいて選択された複数のビームに関連付けられる少なくとも１つのプリコーディングマトリクスインジケータ（ＰＭＩ）を、参照信号に基づいて決定することと、少なくとも１つのＰＭＩをネットワークデバイスに送信することと、を含む。【選択図】図２
2022502878.tif 000002
【特許請求の範囲】
【請求項１】
端末デバイスで実行される方法であって、
参照信号と、少なくとも１つのコードブックサブセット制限（ＣＢＳＲ）を示すコードブック構成とを、ネットワークデバイスから受信することと、
前記端末デバイスと前記ネットワークデバイスとの間のビームセットのうち、前記少なくとも１つのＣＢＳＲに少なくとも部分的に基づいて選択された複数のビームに関連付けられる少なくとも１つのプリコーディングマトリクスインジケータ（ＰＭＩ）を、前記参照信号に基づいて決定することと、
前記少なくとも１つのＰＭＩを前記ネットワークデバイスに送信することと、
を含む方法。
【請求項２】
前記コードブック構成と前記参照信号とを受信することは、
前記ネットワークデバイスから無線リソース制御（ＲＲＣ）シグナリングを受信することと、
前記ＲＲＣシグナリングに基づいて、前記ネットワークデバイスのアンテナアレイの第１及び第２の次元におけるアンテナポートの数、及び前記ネットワークデバイスの前記アンテナアレイの前記第１及び第２の次元における前記アンテナポートの数に対応するオーバーサンプリング係数を決定することと、
前記ネットワークデバイスの前記アンテナアレイの前記第１及び第２の次元における前記アンテナポートの数と、前記ネットワークデバイスの前記アンテナアレイの前記第１及び第２の次元における前記アンテナポートの数に対応するオーバーサンプリング係数とに少なくとも基づいて、前記参照信号を受信することと、を含む、
請求項１に記載の方法。
【請求項３】
前記ネットワークデバイスから受信した無線リソース制御（ＲＲＣ）シグナリングから、前記少なくとも１つのＣＢＳＲのうちの第１のＣＢＳＲを取得することを、さらに含み、
前記第１のＣＢＳＲが、前記ビームセットから選択された第３の数の第１のビームグループと、前記ビームセットから選択された第４の数のビームとを示す、
請求項１に記載の方法。
【請求項４】
前記少なくとも１つのＰＭＩを決定することは、
前記第１のＣＢＳＲと、前記ネットワークデバイスのアンテナアレイの第１及び第２の次元におけるアンテナポートの数と、前記ネットワークデバイスの前記アンテナアレイの前記第１及び第２の次元における前記アンテナポートの数に対応するオーバーサンプリング係数とに基づいて、前記第４の数のビームグループから選択された第２の数のビームを含むグループを示す第１のＰＭＩ、及び前記第２の数のビームを含む前記グループから選択された第１の数のビームを示す第２のＰＭＩのうち、少なくとも１つを決定することを含む、
請求項３に記載の方法。
【請求項５】
前記ネットワークデバイスから受信されたＲＲＣシグナリングから、前記少なくとも１つのＣＢＳＲのうちの第２のＣＢＳＲであって、前記ビームセットから選択された第５の数の第２のビームグループと、前記ビームセットから選択された第６の数のビームとを示す前記第２のＣＢＳＲを取得することと、
前記第１のＰＭＩと、第２のＰＭＩと、前記第２のＣＢＳＲとに基づいて決定された第７の数のビームの少なくとも１つの広帯域振幅係数を示す第３のＰＭＩを決定することとを、含む、
請求項４に記載の方法。
【請求項６】
前記第７の数のビームの少なくとも１つのサブバンド振幅係数を示す第４のＰＭＩを決定することを、さらに含む、
請求項５に記載の方法。
【請求項７】
ネットワークデバイスで実行される方法であって、
参照信号と、少なくとも１つのコードブックサブセット制限（ＣＢＳＲ）を示すコードブック構成とを、端末デバイスに送信することと、
前記端末デバイスと前記ネットワークデバイスとの間のビームセットのうち、前記少なくとも１つのＣＢＳＲに少なくとも部分的に基づいて選択された複数のビームに関連付けられる少なくとも１つのプリコーディングマトリクスインジケータ（ＰＭＩ）を受信することと、を含み、
前記少なくとも１つのＰＭＩは、前記参照信号に基づいて前記端末デバイスによって決定される、
方法。
【請求項８】
前記少なくとも１つのＰＭＩから目標ビームを決定することと、
前記目標ビームを介して前記端末デバイスに信号を送信することを、さらに含む、
請求項７に記載の方法。
【請求項９】
プロセッサと、
前記プロセッサに結合され、命令が格納されたメモリと、
を備え、
前記命令が前記プロセッサによって実行される場合、請求項１〜６のいずれか一項に記載の方法を実行させる、
端末デバイス。
【請求項１０】
プロセッサと、
前記プロセッサに結合され、命令が格納されたメモリと、
を備え、
前記命令が前記プロセッサによって実行される場合、請求項７〜９のいずれか一項に記載の方法を実行させる、
ネットワークデバイス。
【請求項１１】
少なくとも１つのプロセッサで実行される場合、前記少なくとも１つのプロセッサに請求項１〜６のいずれか一項に記載の方法を実行させる命令が格納されたコンピュータ読み取り可能な媒体。
【請求項１２】
少なくとも１つのプロセッサで実行される場合、前記少なくとも１つのプロセッサに請求項７〜９のいずれか一項に記載の方法を実行させる命令が格納されたコンピュータ読み取り可能な媒体。
【発明の詳細な説明】
【技術分野】
【０００１】
本開示の実施形態は、一般的に、電気通信の分野に関し、特に、チャネル状態情報（ＣＳＩ：ｃｈａｎｎｅｌ  ｓｔａｔｅ  ｉｎｆｏｒｍａｔｉｏｎ）フィードバックのオーバーヘッドを削減するための方法及びデバイスに関する。
【背景技術】
【０００２】
通信技術は、異なる無線デバイスが自治体、国家、地域、さらに世界レベルで通信することを可能にする共通のプロトコルを提供するために、様々な電気通信規格で開発されてきた。新規な電気通信規格の例としては、新しい無線（ＮＲ：Ｎｅｗ  Ｒａｄｉｏ）アクセス、例えば５Ｇ無線アクセスがある。現在、ＮＲシステムの研究が認められた。ＮＲは、拡張モバイルブロードバンド、大規模なマシンタイプの通信、超信頼性・低遅延通信を含むＴＲ３８．９１３で定義されたすべての利用状況、要求、配置状況に対処する単一の技術フレームワークを目的とし、１００ＧＨｚまでの周波数範囲を考慮する。
【０００３】
新しい無線アクセス用のマルチアンテナスキームは、マルチアンテナスキーム、ビーム管理、ＣＳＩ取得、参照信号及びＱＣＬを含む側面に着目して提供されている。さらに、ＮＲでは、タイプＩＩのコードブックが合意された。しかし、タイプＩＩのコードブックは、計算の複雑さやフィードバックのオーバーヘッドが莫大である。また、タイプＩＩのコードブックでは、コードブックサブセット制限（ＣＢＳＲ：Ｃｏｄｅｂｏｏｋ  ｓｕｂｓｅｔ  ｒｅｓｔｒｉｃｔｉｏｎ）が合意され、計算の複雑さは軽減できるが、フィードバックのオーバーヘッドは変更されていない。
【発明の概要】
【発明が解決しようとする課題】
【０００４】
一般的に、本開示の例示的な実施形態は、チャネル状態情報（ＣＳＩ）フィードバックのオーバーヘッドを削減するための方法及びデバイスを提供する。
【課題を解決するための手段】
【０００５】
第１の態様では、端末デバイスで実行される方法を提供する。この方法は、参照信号と、少なくとも１つのコードブックサブセット制限（ＣＢＳＲ）を示すコードブック構成とを、ネットワークデバイスから受信することと、端末デバイスとネットワークデバイスとの間のビームセットのうち、少なくとも１つのＣＢＳＲに少なくとも部分的に基づいて選択された複数のビームに関連付けられる少なくとも１つのプリコーディングマトリクスインジケータ（ＰＭＩ）を、参照信号に基づいて決定することと、少なくとも１つのＰＭＩをネットワークデバイスに送信することと、を含む。
【０００６】
第２の態様では、ネットワークデバイスで実行される方法を提供する。この方法は、参照信号と、少なくとも１つのコードブックサブセット制限（ＣＢＳＲ）を示すコードブック構成とを、端末デバイスに送信することと、端末デバイスとネットワークデバイスとの間のビームセットのうち、少なくとも１つのＣＢＳＲに少なくとも部分的に基づいて選択された複数のビームに関連付けられる少なくとも１つのプリコーディングマトリクスインジケータ（ＰＭＩ）を受信することと、を含み、少なくとも１つのＰＭＩは、参照信号に基づいて端末デバイスによって決定される。
【０００７】
第３の態様では、端末デバイスを提供する。このデバイスは、プロセッサと、プロセッサに接続され、命令が格納されたメモリと、を備え、命令がプロセッサによって実行される場合、デバイスに第１の態様による方法を実行させる。
【０００８】
第４の態様では、ネットワークデバイスを提供する。このデバイスは、プロセッサと、プロセッサに接続され、命令が格納されたメモリと、を備え、命令がプロセッサによって実行される場合、デバイスに第２の態様による方法を実行させる。
【０００９】
第５の態様では、少なくとも１つのプロセッサで実行される場合、少なくとも１つのプロセッサに第１の態様による方法を実行させる命令が格納されたコンピュータ読み取り可能な媒体を提供する。
【００１０】
第６の態様では、少なくとも１つのプロセッサで実行される場合、少なくとも１つのプロセッサに第２の態様による方法を実行させる命令が格納されたコンピュータ読み取り可能な媒体を提供する。
【００１１】
本開示の他の特徴は、以下の説明を通して容易に理解可能となる。
【図面の簡単な説明】
【００１２】
添付図面を参照しながら本開示のいくつかの実施形態をより詳細に説明することを通じて、本開示の上記及び他の目的、特徴及び利点がより明らかになる。
【００１３】
【図１】本開示の実施形態が実施され得る通信環境のブロック図である。
【００１４】
【図２】本開示のいくつかの実施形態にかかるＣＳＩフィードバックのオーバーヘッドを削減するための例示的な方法２００のフローチャートを示す。
【００１５】
【図３Ａ】本開示のいくつかの実施形態の例を示す。
【図３Ｂ】本開示のいくつかの実施形態の例を示す。
【図３Ｃ】本開示のいくつかの実施形態の例を示す。
【００１６】
【図４】本開示のいくつかの実施形態の例を示す。
【００１７】
【図５】本開示のいくつかの実施形態の例を示す。
【００１８】
【図６】本開示のいくつかの実施形態にかかるＣＳＩフィードバックのオーバーヘッドを削減するための例示的な方法２００のフローチャートを示す。
【００１９】
【図７】本開示のいくつかの実施形態にかかるＣＳＩフィードバックのオーバーヘッドを削減するための例示的な方法のフローチャートを示す。
【００２０】
【図８】本開示の実施形態の実施に適するデバイスの簡略的なブロック図である。
【００２１】
図面全体において、同一又は類似の参照番号は、同一又は類似の要素を表す。
【発明を実施するための形態】
【００２２】
本開示の原理は、いくつかの例示的な実施形態を参照して説明する。これらの実施形態は、例示の目的で記載されるにすぎず、本開示の範囲に関するいかなる限定を示唆するものではなく、当業者が本開示を理解及び実施することを助けることを理解されたい。本明細書で説明される開示は、以下で説明されるもの以外の様々な方法で実施されることができる。
【００２３】
以下の説明及び特許請求の範囲において、別途定義されない限り、本明細書で使用されるすべての技術用語及び科学用語は、本開示が属する技術分野の当業者によって一般的に理解されるものと同じ意味を有する。
【００２４】
本明細書で使用されるとき、「ネットワークデバイス」又は「基地局」（ＢＳ：Ｂａｓｅ  Ｓｔａｔｉｏｎ）という用語は、端末デバイスが通信できるセルやカバレッジを提供し、又はホストできるデバイスを指す。ネットワークデバイスの例として、ノードＢ（ＮｏｄｅＢ又はＮＢ）、Ｅｖｏｌｖｅｄ  ＮｏｄｅＢ（ｅＮｏｄｅＢ又はｅＮＢ）、新しい無線アクセスにおけるＮｏｄｅＢ（ｇＮＢ）、次世代ＮｏｄｅＢ（ｇＮＢ）、リモート無線ユニット（ＲＲＵ：Ｒｅｍｏｔｅ  Ｒａｄｉｏ  Ｕｎｉｔ）、無線ヘッド（ＲＨ：Ｒａｄｉｏ  Ｈｅａｄ）、リモート無線ヘッド（ＲＲＨ：Ｒｅｍｏｔｅ  Ｒａｄｉｏ  Ｈｅａｄ）、及びフェムトノードやピコノードなどの低電力ノードなどが挙げられるが、それらに限定されない。説明の目的のために、以下、ｅＮＢをネットワークデバイスの例として、いくつかの実施形態を説明する。
【００２５】
本明細書で使用されるとき、「端末デバイス」という用語は、無線又は有線の通信機能を有する任意のデバイスを指す。端末デバイスの例として、ユーザ機器（ＵＥ：Ｕｓｅｒ  Ｅｑｕｉｐｍｅｎｔ）、パーソナルコンピュータ、デスクトップ、移動電話、セルラー電話、スマートフォン、携帯情報端末（ＰＤＡ：Ｐｅｒｓｏｎａｌ  Ｄｉｇｉｔａｌ  Ａｓｓｉｓｔａｎｔ）、ポータブルコンピュータ、デジタルカメラなどの画像キャプチャデバイス、ゲームデバイス、音楽ストレージ及び再生機器、又は無線や有線インターネットアクセス及びブラウジングなどを可能にするインターネット機器が挙げられるが、それらに限定されない。
【００２６】
本明細書で使用されるとき、単数形「１つ（ａ）」、「１つ（ａｎ）」、及び「上記（ｔｈｅ）」は、文脈からそうでないことが明確に示されていない限り、複数形も含むことを意図している。「含む」という用語及びその変形は、「含むがこれに限定されない」ことを意味するオープンな用語として読まれる。「に基づいて」という用語は、「少なくとも部分的に基づいて」と読まれる。「一実施形態」及び「実施形態」という用語は、「少なくとも一実施形態」と読まれる。「別の実施形態」という用語は、「少なくとも１つの他の実施形態」と読まれる。「第１」、「第２」などの用語は、異なるオブジェクト又は同じオブジェクトを指す。明示的及び暗黙的なその他の定義は、以下に含まれる。
【００２７】
いくつかの例では、値、手順、又は装置は、「最もよい」、「最も低い」、「最も高い」、「最小」、「最大」などと見なされる。このような説明は、多くの使用される機能的選択肢から選択を行うことができることを指し、このような選択は他の選択に比べてより良く、小さく、高く、又はより好ましい必要がないことを意図していると理解されたい。
【００２８】
図１は、本開示の実施形態が実施され得る例示的な通信ネットワーク１００を示す。ネットワーク１００は、ネットワークデバイス１１０と、ネットワークデバイス１１０によってサービスが提供される端末デバイス１２０とを含む。ネットワークデバイス１１０のサービスエリアは、セル１０２と呼ばれる。ネットワークデバイス及び端末デバイスの数は、いかなる制限を示唆することなく、例示の目的のみであることを理解されたい。ネットワーク１００は、本開示の実施形態を実施することに適する任意の適切な数のネットワークデバイス及び端末デバイスを含み得る。図示されていないが、１つ又は複数の端末デバイスがセル１０２内に配置され、ネットワークデバイス１１０によってサービスが提供されることができると理解されたい。
【００２９】
通信ネットワーク１００において、ネットワークデバイス１１０は、データ及び制御情報を端末デバイス１２０に通信することができる。ネットワークデバイス１１０から端末デバイス１２０へのリンクは、ダウンリンク（ＤＬ：Ｄｏｗｎｌｉｎｋ）又は順方向リンクと呼ばれ、端末デバイス１２０からネットワークデバイス１１０へのリンクは、アップリンク（ＵＬ：Ｕｐｌｉｎｋ）又は逆方向リンクと呼ばれる。
【００３０】
通信技術に応じて、ネットワーク１００は、符号分割多元接続（ＣＤＭＡ：Ｃｏｄｅ  Ｄｉｖｉｓｉｏｎ  Ｍｕｌｔｉｐｌｅ  Ａｃｃｅｓｓ）ネットワーク、時分割多元接続（ＴＤＭＡ：Ｔｉｍｅ  Ｄｉｖｉｓｉｏｎ  Ｍｕｌｔｉｐｌｅ  Ａｃｃｅｓｓ）ネットワーク、周波数分割多元接続（ＦＤＭＡ：Ｆｒｅｑｕｅｎｃｙ  Ｄｉｖｉｓｉｏｎ  Ｍｕｌｔｉｐｌｅ  Ａｃｃｅｓｓ）ネットワーク、直交周波数分割多元接続（ＯＦＤＭＡ：Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ）ネットワーク、シングルキャリア周波数分割多元接続（ＳＣ−ＦＤＭＡ：Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）ネットワーク、又は他の任意のものであってもよい。ネットワーク１００で検討される通信は、任意の適切な規格に準拠してもよく、ここでの規格は、新しい無線アクセス（ＮＲ）、ロングタームエボリューション（ＬＴＥ：Ｌｏｎｇ  Ｔｅｒｍ  Ｅｖｏｌｕｔｉｏｎ）、ＬＴＥエボリューション、ＬＴＥアドバンスト（ＬＴＥ−Ａ：ＬＴＥ−Ａｄｖａｎｃｅｄ）、広帯域符号分割多元接続（ＷＣＤＭＡ（登録商標）：Ｗｉｄｅｂａｎｄ  Ｃｏｄｅ  Ｄｉｖｉｓｉｏｎ  Ｍｕｌｔｉｐｌｅ  Ａｃｃｅｓｓ）、符号分割多元接続（ＣＤＭＡ）、ｃｄｍａ２０００、モバイル通信用グローバルシステム（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）などを含むが、これらに限定されない。さらに、通信は、現在知られている、又は将来に開発される任意の世代の通信プロトコルに従って実行されてもよい。通信プロトコルの例には、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）の通信プロトコルが含まれるが、これらに限定されない。本明細書で説明される技術は、上述した無線ネットワーク及び無線技術だけではなく、他の無線ネットワーク及び無線技術にも使用されることができる。明確のために、以下、ＬＴＥについて技術の特定の側面を説明し、以下の多くの説明でＬＴＥ用語を使用している。
【００３１】
通信において、端末デバイス１２０は、端末デバイス１２０とネットワークデバイス１１０との間の通信チャネルのチャネル状態情報（ＣＳＩ）を推定して報告するように構成される。端末デバイス１２０は、ネットワークデバイス１１０によって送信されるダウンリンク参照信号を使用してＣＳＩを決定することができる。
【００３２】
一般的に、ＬＴＥは、ＣＳＩフィードバックについて、暗黙的なランクインジケータ／プレコーディングマトリクスインジケータ／リソース分割情報／チャネル品質インジケータ（ＲＩ／ＰＭＩ／ＲＰＩ／ＣＱＩ）フィードバックのフレームワークを利用する。ＣＳＩフィードバックのフレームワークは、コードブックから派生したＣＱＩ／ＰＭＩ／ＲＩ（及びＬＴＥ仕様ではＣＲＩ）の形で「暗黙的な」ものである。
【００３３】
ＲＩ（Ｒａｎｋ  Ｉｎｄｉｃａｔｏｒ）は、上述したようにチャネルランクに関する情報であり、同じ時間・周波数リソースを介して受信可能なストリーム／レイヤの数を示す。ＲＩは、チャネルの長期間のフェージングによって決定されるため、一般的には、ＰＭＩ（Ｐｒｅｃｏｄｉｎｇ  Ｍａｔｒｉｘ  Ｉｎｄｉｃａｔｏｒ）やＣＱＩ（Ｃｈａｎｎｅｌ  Ｑｕａｌｉｔｙ  Ｉｎｄｉｃａｔｏｒ）よりも長い周期でフィードバックされてもよい。ＰＭＩは、チャネルの空間特性を示す値であり、端末デバイスに望まれるネットワークデバイスのプリコーディングマトリクスのインデックスを示す。ＲＰＩ（Ｒｅｌａｔｉｖｅ  Ｐｏｗｅｒ  Ｉｎｄｉｃａｔｏｒ）は、ＰＭＩによって示される異なるビーム／レイヤ間、又は異なるポート間の電力領域のリソースの割り当てに対応する。ＡＣＩ（Ａｍｐｌｉｔｕｄｅ  Ｃｏｅｆｆｉｃｉｅｎｔ  Ｉｎｄｉｃａｔｏｒ、振幅係数インジケータ）は、ビーム／レイヤの振幅パラメータであり、振幅係数インジケータは、広帯域又はサブバンドであってもよい。ＰＣＩ（Ｐｈａｓｅ  Ｃｏｅｆｆｉｃｉｅｎｔ  Ｉｎｄｉｃａｔｏｒ、位相係数インジケータ）は、ビーム／レイヤの振幅パラメータであり、位相係数インジケータは、広帯域又はサブバンドであってもよい。ＣＱＩは、チャネルの強度を示す情報であり、ネットワークデバイスがＰＭＩを使用した場合に得られる受信ＳＩＮＲを示す。
【００３４】
ＣＳＩフィードバックは、構成された帯域幅（例えば、広帯域）の全体又は一部にわたって平均的なチャネル状況を反映する。例えば、構成された帯域幅は、ＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、チャネル状態情報参照信号）の帯域幅であってもよい。別の例では、構成された帯域幅は、報告するために構成された帯域幅であってもよい。ＲＩ、ＰＭＩ、ＡＣＩ、ＰＣＩ、ＲＰＩなどのいくつかのメトリックは、構成された帯域幅全体（例えば、広帯域ＲＩ／ＰＭＩ／ＡＣＩ）にわたって平均的なチャネル状況を反映するように計算されてもよい。広帯域ＰＭＩは、構成された帯域幅全体にわたるビームのインデックスを示してもよく、広帯域ＡＣＩは、構成された帯域幅全体にわたるビームの利得を示してもよい。ＰＭＩ及びＣＱＩなどのいくつかのメトリックは、サブバンド（例えば、構成された帯域幅全体の一部）ごとに計算されてもよい。サブバンドのＰＭＩは、サブバンド内のビームの利得を示してもよく、サブバンドのＡＣＩは、サブバンド内のビームの振幅係数を示してもよく、サブバンドのＰＣＩは、サブバンド内のビームの位相係数を示してもよい。
【００３５】
端末デバイス１２０が複数本のビーム（例えば、Ｌ本（Ｌ個）のビーム）についてＣＳＩを報告する場合、ビームに関する情報は、コードブックからコードワードを決定するために必要とされる。コードブックは、レイヤ１とレイヤ２でサポートされ得る。この場合のコードワードは、例えば、以下のように、異なるビームの情報に応じて端末デバイス１２０によって定義されることができる。
レイヤ１の場合：
【数１】
2022502878.tif 000003
レイヤ２の場合：
【数２】
2022502878.tif 000004
ここで、
【数３】
2022502878.tif 000005
ここで、ｑ１及びｑ２は、ビームグループ（ビーム群）の第１の次元及び第２の次元（例えば、水平方向及び垂直方向）に対応するインデックスを表す。ｎ１及びｎ２は、ビームグループのビームの第１の次元及び第２の次元（例えば、水平方向及び垂直方向）に対応するインデックスとみなされ得る。ｐｌ（１）は、Ｌ本のビームのうちの各ビームの広帯域振幅パラメータと呼ばれ、ｐｌ（２）は、あるサブバンド内のＬ本のビームのうちの各ビームの振幅パラメータと呼ばれる。ｉ２，１，１は、あるサブバンド内の第１レイヤ用のＬ本のビームのうちの各ビームのサブバンド位相パラメータを表し、ｉ２，１，２は、あるサブバンド内の第２のレイヤ用のＬ本のビームのうちの各ビームのサブバンド位相パラメータを表す。Ｎ１及びＮ２は、それぞれ、ネットワークデバイスのアンテナアレイの第１の次元及び第２の次元におけるアンテナポートの数を示すために使用される。
【数４】
2022502878.tif 000006
は、第ｉレイヤ用のＬ本のビームのベクトルである。
【数５】
2022502878.tif 000007
は、は、Ｌ本のビーム内のｉ番目のビームの第１の次元及び第２の次元（例えば、水平方向及び垂直方向）に対応するインデックスであり、ｉ番目のビームを識別するために使用され得る。いくつかの例では、
【数６】
2022502878.tif 000008
は、構成された帯域幅（広帯域）にわたるｉ番目のビームのＰＭＩとみなされ得る。
【数７】
2022502878.tif 000009
は、構成された帯域幅にわたるｉ番目のビームの広帯域振幅係数を示し、
【数８】
2022502878.tif 000010
は、あるサブバンドにおけるｉ番目のビームの振幅係数を示す。
【数９】
2022502878.tif 000011
は、それぞれ、広帯域にわたるｉ番目のビーム及びあるサブバンドにおけるｉ番目のビームのＡＣＩとみなされ得る。
【数１０】
2022502878.tif 000012
は、あるサブバンドにおけるｉ番目のビームの位相係数を示し、あるサブバンドにおけるｉ番目のビームのＰＣＩとみなされ得る。ｌ（エル）は、レイヤのインデックスである。式（１）〜（３）におけるコードワードを含むコードブックは、タイプＩＩのコードブックと呼ばれてもよい。
【００３６】
ネットワークデバイス１１０がコードワードを決定することを可能にするために、端末デバイス１２０は、Ｌ本のビームのそれぞれについて、上記で説明されたパラメータを報告する必要があり、これにより、ＣＳＩフィードバックのオーバーヘッドを増大させることになる。
【００３７】
上述したように、ＲＩ、ＰＭＩ、ＡＣＩ、ＰＣＩ、ＲＰＩなどのいくつかのメトリックは、平均的なチャネル状況を反映するように計算されてもよい。以下の表１は、タイプＩＩのコードブックのＰＭＩを示す。
【表１】
2022502878.tif 000013
【００３８】
表１から分かるように、ＰＭＩは、広帯域ＰＭＩとサブバンドＰＭＩを指す。例えば、ｉ１，１は、Ｏ１＊Ｏ２のビームグループからの１つのビームグループのフィードバック用の指示（indication）とみなされ得る。ここで、Ｏ１及びＯ２は、空間方向をオーバサンプリングするために構成された値である。ｉ１，２は、あるビームグループ（例えば、ｉ１，１で示されるビームグループ）におけるＮ１＊Ｎ２本のビームからのＬ本のビームのフィードバック用の指示とみなされ得る。ｉ１，４，１は、Ｌ本のビームの各ビームの広帯域振幅係数用の指示とみなされ得る。ｉ２，１，１は、広帯域振幅パラメータの値がゼロでないビームの位相係数の指示とみなされ得る。ｉ２，２，１は、広帯域振幅パラメータの値がゼロでないビームのサブバンド振幅係数の指示とみなされ得る。
【００３９】
上記から、ＰＭＩフィードバックのオーバーヘッドが大きいことが理解できる。さらに、システム帯域幅が広い場合、システム帯域幅内の複数のサブバンドのそれぞれについてフィードバックを送信することになり、サブバンドの数が増加するにつれて、オーバーヘッドをさらに増大させることになる。
【００４０】
現在、チャネル状態のための計算の複雑さを軽減するために、タイプＩＩのコードブックに対してコードブックサブセット制限（ＣＢＳＲ）が導入された。しかし、フィードバックのオーバーヘッドは変更されていない。
【００４１】
本開示の実施形態によれば、ＣＳＩフィードバックのオーバーヘッドを削減するためのソリューションが提供される。このソリューションでは、ＣＳＩフィードバックのオーバーヘッドを削減するために、いくつかの特定のビームにのみ関連付けられるＰＭＩがネットワークデバイスに報告される。本開示の実施形態のさらなる詳細は、図２〜図８を参照して説明する。
【００４２】
図２は、本開示のいくつかの実施形態にかかるチャネル状態情報（ＣＳＩ）フィードバックのオーバーヘッドを削減するための例示的な方法２００のフローチャートを示す。方法２００は、図１に示す端末デバイス１２０において実施され得る。方法２００は、図示されない追加のブロックを含み、及び／又は図示されているいくつかのブロックを省略してもよく、本開示の範囲は、この点について限定されないと理解される。説明の目的のために、方法２００は、図１を参照して端末デバイス１２０の観点から説明される。
【００４３】
ブロック２１０において、端末デバイス１２０は、コードブック構成及び参照信号をネットワークデバイス１１０から受信し、コードブック構成は、少なくとも１つのコードブックサブセット制限（ＣＢＳＲ）を示す。
【００４４】
いくつかの実施形態では、端末デバイス１２０は、ネットワークデバイス１１０から無線リソース制御（ＲＲＣ：：Ｒａｄｉｏ  Ｒｅｓｏｕｒｃｅ  Ｃｏｎｔｒｏｌ）シグナリングを受信し、ＲＲＣシグナリングに基づいて、ネットワークデバイス１１０のアンテナアレイの第１の次元及び第２の次元におけるアンテナポートの数、及びネットワークデバイス１１０のアンテナアレイの第１の次元及び第２の次元におけるアンテナポートの数に対応するオーバーサンプリング係数を決定する。端末デバイス１２０は、少なくともネットワークデバイス１１０のアンテナアレイの第１の次元及び第２の次元におけるアンテナポートの数、及び対応するオーバーサンプリング係数に基づいて、参照信号を受信する。さらに、端末デバイス１２０は、参照信号に基づいてチャネル状態情報を取得する。
【００４５】
上述したように、ネットワークデバイスのアンテナアレイの第１の次元及び第２の次元におけるアンテナポートの数は、式（３）に示すタイプＩＩのコードブック、即ちＮ１及びＮ２で表されてもよい。具体的には、Ｎ１及びＮ２は、ネットワークデバイス１２０の第１の次元及び第２の次元（例えば、水平方向及び垂直方向）に対応するアンテナポートの数として理解され得る。さらに、いくつかのケースでは、ネットワークデバイス１２０のアンテナアレイの第１の次元及び第２の次元の数に対応するオーバーサンプリング係数は、上述したように、空間方向をオーバーサンプリングするように構成されたＯ１及びＯ２で表されることができる。
【００４６】
一般的に、オーバーサンプリング係数Ｏ１，Ｏ２の値は、アンテナアレイの第１の次元及び第２の次元の数Ｎ１，Ｎ２に対応する値である。以下の表２は、（Ｎ１，Ｎ２）と（Ｏ１，Ｏ２）のサポートされた構成を示す。
【表２】
2022502878.tif 000014
【００４７】
いくつかの実施形態では、ネットワークデバイス１１０は、アンテナアレイの次元の数Ｎ１，Ｎ２を構成し、アンテナアレイの次元の数Ｎ１，Ｎ２の構成を、ＲＲＣシグナリングを介して端末デバイス１１０に通知する。したがって、オーバーサンプリング係数Ｏ１，Ｏ２の数も端末デバイス１１０によって取得され得る。
【００４８】
ブロック２２０において、端末デバイス１２０は、参照信号に基づいて少なくとも１つのプリコーディングマトリクスインジケータ（ＰＭＩ）を決定する。少なくとも１つのＰＭＩは、端末デバイスとネットワークデバイスとの間のビームセットのうち、少なくとも１つのＣＢＳＲに少なくとも部分的に基づいて選択された複数のビームに関連付けられる。
【００４９】
いくつかのケースでは、端末デバイス１２０は、アンテナアレイの第１の次元及び第２の次元の数Ｎ１，Ｎ２、及び対応するオーバーサンプリング係数Ｏ１，Ｏ２の数に基づいて、異なる空間方向における端末デバイス１２０とネットワークデバイス１１０との間のビームグループの合計数（Ｏ１＊Ｏ２）及びビームの合計数（Ｎ１＊Ｎ２＊Ｏ１＊Ｏ２）を決定してもよい。例えば、Ｎ１＝４、Ｎ２＝４とすると、対応するオーバーサンプリング係数Ｏ１＝４、Ｏ２＝４となる。したがって、Ｎ１，Ｎ２とＯ１，Ｏ２で定義された２次元アンテナアレイでは、ビームグループの合計数はＯ１＊Ｏ２＝１６であり、ビームの合計数はＮ１＊Ｎ２＊Ｏ１＊Ｏ２＝２５６である。各ビームグループには、Ｎ１＊Ｎ２、即ち１６のビームがある。
【００５０】
端末デバイス１２０は、２次元アンテナアレイ内の各ビームグループ又は各ビームに関連付けられるＰＭＩをネットワークデバイス１２０に報告すると、ＣＳＩフィードバックのオーバーヘッドが非常に大きいことが理解できる。そのため、報告されるビームの数を制限することが考えられる。
【００５１】
いくつかの実施形態では、端末デバイス１２０は、ネットワークデバイス１１０から受信したＲＲＣシグナリングから、少なくとも１つのＣＢＳＲのうちの第１のＣＢＳＲを取得する。第１のＣＢＳＲは、端末デバイスとネットワークデバイスとの間のビームセット（ビーム集合）から選択された第３の数の第１のビームグループと、前記ビームセットから選択された第４の数のビームとを示す。
【００５２】
上述したように、タイプＩＩのコードブックでは、チャネル状態の計算の複雑さを軽減するために、コードブックサブセット制限（ＣＢＳＲ）が導入された。言い換えれば、ビーム全体からいくつかの指定ビームが選択されることになる。ＣＳＩフィードバックのオーバーヘッドを削減するために、ＣＢＳＲのメカニズムを導入してＰＭＩを決定することができる。
【００５３】
いくつかの実施形態では、第１のＣＢＳＲは、選択される合計数（Ｎ１＊Ｎ２＊Ｏ１＊Ｏ２）のビームセットからの第４の数のビーム（例えば、Ｈと表記される）を全体として有する第３の数のビームグループ（例えば、Ｐと表記される）を示す。
【００５４】
いくつかの実施形態では、端末デバイス１２０は、第１のＣＢＳＲと、ネットワークデバイスのアンテナアレイの第１の次元及び第２の次元におけるアンテナポートの数と、ネットワークデバイスのアンテナアレイの第１の次元及び第２の次元におけるアンテナポートの数に対応するオーバーサンプリング係数とに基づいて、１つ又は複数のＰＭＩを決定してもよい。例えば、端末デバイス１２０は、第１のＰＭＩと第２のＰＭＩの少なくとも一方を決定してもよい。
【００５５】
いくつかの実施形態では、第１のＰＭＩ（表１に示すｉ１，１で指す）及び／又は第２のＰＭＩ（表１に示すｉ１，２で指す）がある。いくつかの実施形態では、第１のＰＭＩは、第４の数のビームＨから選択された第２の数のビーム（例えば、Ｆと表記される）のビームグループ（例えば、Ｇと表記される）を示す。いくつかの実施形態では、第２のＰＭＩは、第２の数のビームのビームグループＧから選択された第１の数のビーム（例えば、Ｌと表記される。例えば、Ｌは、整数であり、２、３、４、５又は６であってもよい）を示す。
【００５６】
第１のＰＭＩ及び第２のＰＭＩを決定するプロセスは、以下、それぞれ図３Ａ〜図３Ｃ及び図４を参照して詳細に説明される。
【００５７】
いくつかの実施形態では、異なる空間方向における端末デバイス１２０とネットワークデバイス１１０との間の複数のビームは、Ｎ１，Ｎ２及びＯ１，Ｏ２によって定義される２次元アンテナアレイで表されてもよい。第１のＣＢＳＲは、（Ｎ１＊Ｎ２＊Ｏ１＊Ｏ２）のビームのセット全体から選択された第４の数のビーム（例えば、Ｈと表記される）を全体として有する第３の数のビームグループ（例えば、Ｐと表記される）を示してもよい。Ｎ１及びＮ２の異なる値について、ＣＢＳＲが構成されている場合、第１のＣＢＳＲに応じて、第２のＰＭＩに利用可能なビームの合計数Ｍは異なる。
【００５８】
いくつかの実施形態では、第２のＰＭＩフィードバックのビット数は、利用可能なビームの数（例えば、Ｍと表記される）に基づいている。そして、Ｍ本の利用可能なビームは、ＣＢＳＲによって示される第４の数のビームＨに基づいている。いくつかの実施形態では、Ｎ１及び／又はＮ２の異なる値、及び／又はＣＢＳＲの異なる構成に対して、Ｍの値は異なる。
【００５９】
いくつかの実施形態では、コードブックサブセット制限の構成では、ビームグループの合計数はＯ１＊Ｏ２であり、ビームの合計数はＮ１＊Ｎ２＊Ｏ１＊Ｏ２である。各ビームグループには、Ｎ１＊Ｎ２本のビームがある。アンテナアレイにおけるビームグループのインデックスは、｛ｒ１（ｉ），ｒ２（ｉ）｝で表され、ここで、ｒ１（ｉ）＝０，１，・・・，Ｏ１−１、ｒ２（ｉ）＝０，１，・・・，Ｏ２−１、ｉ＝０，１，・・・，Ｐ−１である。各ビームグループにおいて、ビームは、（ｒ１（ｉ）＊Ｎ１＋ｘ１，ｒ２（ｉ）＊Ｎ２＋ｘ２）であり、ここで、ｘ１＝０，１，．．．，Ｎ１−１、ｘ２＝０，１，．．．，Ｎ２−１である。いくつかの実施形態では、第３の数のビームグループ（Ｐで表記され、例えば、Ｐは整数であり、１、２、３、４、５又は６であってもよい）は、Ｏ１＊Ｏ２のビームグループ全体から選択される。いくつかの実施形態では、Ｐは４であり、Ｏ１＊Ｏ２は４である。この場合、Ｏ１＊Ｏ２のビームグループ全体から第３の数のビームグループＰを選択する必要はないことがある。代替的に、第３の数のビームグループＰは、Ｏ１＊Ｏ２のビームグループ全体である。
【００６０】
例として、図３Ａには、Ｎ１＝４及びＮ２＝４、Ｏ１＝４及びＯ２＝４で定義されるアンテナアレイ３０００が示される。アンテナアレイ３０００では、ビームグループの合計数はＯ１＊Ｏ２＝１６であり、ビームの合計数はＮ１＊Ｎ２＊Ｏ１＊Ｏ２＝２５６である。各ビームグループには１６本のビームがある。アンテナアレイにおけるビームグループのインデックスは、｛ｒ１（ｉ），ｒ２（ｉ）｝で表され、ここで、ｒ１＝０，１，・・・，Ｏ１−１、ｒ２＝０，１，・・・，Ｏ２−１、ｉ＝０，１，・・・，Ｐ−１である。各ビームグループにおいて、ビームは、（ｒ１（ｉ）＊Ｎ１＋ｘ１，ｒ２（ｉ）＊Ｎ２＋ｘ２）であり、ここで、ｘ１＝０，１，．．．，Ｎ１−１、ｘ２＝０，１，．．．，Ｎ２−１である。
【００６１】
表１において、ｉ１，２は、
【数１１】
2022502878.tif 000015
で表され、これは、Ｎ１＊Ｎ２本の利用可能なビームからＬ本のビームが選択され得ることを意味する。このように、いくつかの実施形態では、利用可能なビームの数を減少する（減らす）ことが期待される。いくつかの実施形態では、ｘ≧ｙの場合、
【数１２】
2022502878.tif 000016
、ｘ＜ｙの場合、
【数１３】
2022502878.tif 000017
【００６２】
いくつかの実施形態では、Ｐ（例えば、Ｐは、２、３、４、５又は６であってもよい）個のビームグループが選択される。選択されたビームグループのインデックス｛ｒ１（ｉ），ｒ２（ｉ）｝は、｛ｒ１（ｉ），ｒ２（ｉ）｝からの任意のＰ個の組合せとして表されてもよく、ここで、ｒ１（ｉ）＝０，１，．．．，Ｏ１−１、ｒ２（ｉ）＝０，１，．．．，Ｏ２−１、ｉ＝０，１，．．．，Ｐ−１である。いくつかの実施形態では、どのＰ個のビームグループが選択されても、１つのビームグループ内のＮ１＊Ｎ２本のビームは直交しない。例えば、ｉ１，２について、Ｐ個のビームグループから同じｘ１、ｘ２で第１の数のビーム（Ｌ本の直交ビーム）が選択されるべきであり、ｉ１，２のビット数は、
【数１４】
2022502878.tif 000018
と表記される。例えば、この場合、Ｎ１＝４かつＮ２＝４、あるいはＮ１＝４とＮ２＝３、あるいはＮ１＝４かつＮ２＝２、あるいはＮ１＝４かつＮ２＝１、あるいはＮ１＝２かつＮ２＝１、あるいはＮ１＝２かつＮ２＝２、あるいはＮ１＝３かつＮ２＝２である。
【００６３】
第１のＣＢＳＲに応じて、図３Ａに示すように、アンテナアレイ３０００において、ビームグループ３１００〜３１０３である４つのビームグループを選択することができる。選択されたビームグループのインデックス｛ｒ１（ｉ），ｒ２（ｉ）｝は、それぞれ｛０，０｝，｛０，２｝，｛１，２｝，｛２，３｝として表される。この場合、どの４つのビームグループが選択されても、１つのビームグループ内のＮ１＊Ｎ２本のビームは直交しない。ｉ１，２について、同じｘ１，ｘ２値で４つのビームグループからＬ本の直交ビームを選択し、ｉ１，２のビット数は、
【数１５】
2022502878.tif 000019
、この場合、即ち
【数１６】
2022502878.tif 000020
に書き換えられることができる。このように、この場合、アンテナアレイ３０００から、最大４本の利用可能なビーム、即ちビーム３１１０〜３１１３が選択される。Ｎ１＊Ｎ２の値と比較して、選択された利用可能なビームの数は減少される。したがって、ＣＢＳＲが構成されているときのｉ１，２フィードバックのためのビットフィールドを低減することができる。例えば、Ｌ＝２の場合、フィールドが３ビットであり、Ｌ＝３の場合、２ビットで十分であり、Ｌ＝４の場合、フィールドが０ビットであり、言い換えれば、ｉ１，２をフィードバックする必要はない。選択されたビームグループのインデックス｛ｒ１（ｉ），ｒ２（ｉ）｝は、いかなる制限を示唆することなく、例示の目的のみであることを理解されたい。本開示の実施形態を実施するために、選択されたビームグループのインデックス｛ｒ１（ｉ），ｒ２（ｉ）｝は、（｛０，０｝，｛０，１｝，｛０，２｝，｛０，３｝，｛１，０｝，｛１，１｝，｛１，２｝，｛１，３｝，｛２，０｝，｛２，１｝，｛２，２｝，｛２，３｝，｛３，０｝，｛３，１｝，｛３，２｝，｛３，３｝）のセットからの任意のＰ個の組合せであってもよい。
【００６４】
いくつかの実施形態では、Ｐ（例えば、Ｐは、２、３、４、５又は６であってもよい）個のビームグループが選択される。選択されたビームグループのインデックス｛ｒ１（ｉ），ｒ２（ｉ）｝は、｛ｒ１（ｉ），ｒ２（ｉ）｝からの任意のＰ個の組合せとして表されてもよく、ここで、ｒ１（ｉ）＝０，１，・・・，Ｏ１−１、ｒ２（ｉ）＝０，１，・・・，Ｏ２−１、ｉ＝０，１，・・・，Ｐ−１である。いくつかの実施形態では、どのＰ個のビームグループが選択されても、ｉ１，２のビット数は、
【数１７】
2022502878.tif 000021
以下である。例えば、この場合、Ｎ１＝８かつＮ２＝１、あるいはＮ１＝８かつＮ２＝２、あるいはＮ１＝６かつＮ２＝２、あるいはＮ１＝６かつＮ２＝１である。
【００６５】
いくつかの実施形態では、Ｐ（例えば、Ｐは、２、３、４、５又は６であってもよい）個のビームグループが選択される。選択されたビームグループのインデックス｛ｒ１（ｉ），ｒ２（ｉ）｝は、｛ｒ１（ｉ），ｒ２（ｉ）｝からの任意のＰ個の組合せとして表されてもよく、ここで、ｒ１（ｉ）＝０，１，．．．，Ｏ１−１、ｒ２（ｉ）＝０，１，．．．，Ｏ２−１、ｉ＝０，１，．．．，Ｐ−１である。いくつかの実施形態では、どのＰ個のビームグループが選択されしても、ｉ１，２のビット数は、
【数１８】
2022502878.tif 000022
以下である。例えば、この場合、Ｎ１＝１２、Ｎ２＝１である。
【００６６】
いくつかの実施形態では、Ｐ（例えば、Ｐは、２、３、４、５又は６であってもよい）個のビームグループが選択される。選択されたビームグループのインデックス｛ｒ１（ｉ），ｒ２（ｉ）｝は、｛ｒ１（ｉ），ｒ２（ｉ）｝からの任意のＰ個の組合せとして表されてもよく、ここで、ｒ１（ｉ）＝０，１，．．．，Ｏ１−１、ｒ２（ｉ）＝０，１，．．．，Ｏ２−１、ｉ＝０，１，．．．，Ｐ−１である。いくつかの実施形態では、どのＰ個のビームグループが選択されても、ｉ１，２のビット数は、
【数１９】
2022502878.tif 000023
以下である。例えば、この場合、Ｎ１＝１６、Ｎ２＝１である。
【００６７】
いくつかの実施形態では、Ｎ１＝４、Ｎ２＝２の場合、ｉ１，２に利用可能なビームの合計数は、第１のＣＢＳＲにおける選択された群に依存する。表２によれば、Ｎ１＝４、Ｎ２＝２とすると、Ｏ１＝４、Ｏ２＝４である。
【００６８】
この場合、ビームグループの合計数はＯ１＊Ｏ２＝１６であり、ビームの合計数はＮ１＊Ｎ２＊Ｏ１＊Ｏ２＝１２８である。各ビームグループには８本のビームがある。Ｎ１＊Ｎ２＊Ｏ１＊Ｏ２＝１２８本のビーム全体のうち、ビームグループごとに、Ｎ１＊Ｎ２＝８本の直交ビームが含まれる。この場合、第１のＣＢＳＲに基づいて選択されたビームグループのインデックスは、ｉ１，２に利用可能な異なる直交ビーム数をもたらす可能性がある。
【００６９】
別の例として、図３Ｂには、Ｎ１＝４及びＮ２＝２、Ｏ１＝４及びＯ２＝４によって定義されるアンテナアレイ３００１が示される。アンテナアレイ３００１では、ビームグループの合計数はＯ１＊Ｏ２＝１６であり、ビームの合計数はＮ１＊Ｎ２＊Ｏ１＊Ｏ２＝１２８である。ＣＢＳＲ用の各ビームグループには８本のビームがある。図３Ａに示すアンテナアレイ３０００と同様に、ビームグループのインデックスは、｛ｒ１（ｉ），ｒ２（ｉ）｝として表されてもよく、ここで、ｒ１＝０，１，・・・，Ｏ１−１、ｒ２＝０，１，・・・，Ｏ２−１、ｉ＝０，１，・・・，Ｐ−１である。各ビームグループにおいて、ビームは、（ｒ１（ｉ）＊Ｎ１＋ｘ１，ｒ２（ｉ）＊Ｎ２＋ｘ２）であり、ここで、ｘ１＝０，１，．．．，Ｎ１−１、ｘ２＝０，１，．．．，Ｎ２−１である。
【００７０】
第１のＣＢＳＲに応じて、図３Ｂに示すように、アンテナアレイ３００１において、グループ３２００〜３２０３である４つのビームグループを選択することができる。選択されたビームグループのインデックス｛ｒ１（ｉ），ｒ２（ｉ）｝は、それぞれ｛０，０｝、｛０，２｝、｛１，２｝、｛２，３｝として表されてもよい。選択されたビームグループのインデックス｛ｒ１（ｉ），ｒ２（ｉ）｝は、いかなる限定を示唆することなく、例示の目的のみであることを理解されたい。本開示の実施形態を実施するために、選択されたビームグループのインデックス｛ｒ１（ｉ），ｒ２（ｉ）｝は、（｛０，０｝，｛０，１｝，｛０，２｝，｛０，３｝，｛１，０｝，｛１，１｝，｛１，２｝，｛１，３｝，｛２，０｝，｛２，１｝，｛２，２｝，｛２，３｝，｛３，０｝，｛３，１｝，｛３，２｝，｛３，３｝）のセットからの任意のＰ個の組合せであってもよい。４つのビームグループ内の対応する位置のビームは、（ａ１，ｂ１）、（ａ２，ｂ２）、（ａ３，ｂ３）、（ａ４，ｂ４）として表されてもよい。ビームの対応する位置に関連するインデックスが以下の式（４）又は（５）を満たす場合、ビームは互いに直交することになる。
【数２０】
2022502878.tif 000024
【００７１】
このように、図３Ｂに示す４つのビーム３２１０〜３２１３では、ビーム３２１０とビーム３２１１は直交しない。したがって、ビームグループ３２００〜３２０３のビーム３２１０〜３２１３では、ビームグループ３２００のビーム３２１０が選択されている場合、ビームグループ３２０２のビーム３２１２が選択されることになる。同様に、ビームグループ３２０１のビーム３２１１が選択されている場合、ビームグループ３２０３のビーム３２１３が選択されることになる。したがって、図３Ｂに示すケースでは、ｉ１，２に利用可能なビームの数はＭ＝２であり、そのため、ｉ１，２について、
【数２１】
2022502878.tif 000025
は、
【数２２】
2022502878.tif 000026
、即ち、
【数２３】
2022502878.tif 000027
に書き換えられる。
【００７２】
図３Ｃには、同様にＮ１＝４及びＮ２＝２、Ｏ１＝４及びＯ２＝４によって定義されるアンテナアレイのさらなる例が示される。アンテナアレイ３００２では、ビームグループの合計数はＯ１＊Ｏ２＝１６であり、ビームの合計数はＮ１＊Ｎ２＊Ｏ１＊Ｏ２＝１２８である。各ビームグループには８本のビームがある。図３Ａ及び図３Ｂに示すアンテナアレイ３０００と同様に、ビームグループのインデックスは、｛ｒ１（ｉ），ｒ２（ｉ）｝として表されてもよく、ここで、ｒ１＝０，１，．．．，Ｏ１−１、ｒ２＝０，１，．．．，Ｏ２−１、ｉ＝０，１，．．．，Ｐ−１である。各群において、ビームは、（ｒ１（ｉ）＊Ｎ１＋ｘ１，ｒ２（ｉ）＊Ｎ２＋ｘ２）であり、ここで、ｘ１＝０，１，．．．，Ｎ１−１、ｘ２＝０，１，．．．，Ｎ２−１である。
【００７３】
第１のＣＢＳＲに応じて、図３Ｂに示すように、アンテナアレイ３００２において、グループ３３００〜３３０３である４つのビームグループを選択することができる。選択されたビームグループのインデックス｛ｒ１（ｉ）、ｒ２（ｉ）｝は、それぞれ｛０，０｝、｛０，１｝、｛０，３｝、｛３，３｝として表されてもよい。選択されたビームグループのインデックス｛ｒ１（ｉ），ｒ２（ｉ）｝は、いかなる制限を示唆することなく、例示の目的のみであることを理解されたい。選択されたビームグループ｛ｒ１（ｉ），ｒ２（ｉ）｝のインデックスは、本開示の実施形態を実施するために、（｛０，０｝，｛０，１｝，｛０，２｝，｛０，３｝，｛１，０｝，｛１，１｝，｛１，２｝，｛１，３｝，｛２，０｝，｛２，１｝，｛２，２｝，｛２，３｝，｛３，０｝，｛３，１｝，｛３，２｝，｛３，３｝）のセットからの任意のＰ個の組合せであってもよい。４つのビームグループ内の対応する位置のビームは、（ａ１，ｂ１）、（ａ２，ｂ２）、（ａ３，ｂ３）、（ａ４，ｂ４）として表されてもよい。上述したように、ビームの対応する位置に関連するインデックスが式（４）又は（５）を満たす場合、ビームは互いに直交することになる。
【００７４】
このように、図３Ｃに示す４つのビーム３３１０〜３３１３では、ビーム３３１０、ビーム３３１２とビーム３２１３は直交している。したがって、ビームグループ３３００〜３３０３のビーム３３１０〜３３１３では、ビームグループ３３００のビーム３３１０が選択されている場合には、ビームグループ３３０２のビーム３３１２とビームグループ３３０２のビーム３２１３とが選択されることになる。ビームグループ３３０１のビーム３３１１が選択されている場合、他の３つのビームグループには、ビーム３３１１と直交するビームはない。
【００７５】
その結果、図３Ｃに示すケースでは、ｉ１，２に利用可能なビームの数はＭ＝３であり、したがって、ｉ１，２について、
【数２４】
2022502878.tif 000028
は、
【数２５】
2022502878.tif 000029
、即ち、
【数２６】
2022502878.tif 000030
に書き換えられる。
【００７６】
いくつかの実施形態では、Ｎ１＝４、Ｎ２＝２の場合、ビームグループの合計数はＯ１＊Ｏ２＝１６であり、ビームの合計数はＮ１＊Ｎ２＊Ｏ１＊Ｏ２＝１２８である。ＣＢＳＲ用の各ビームグループには８本のビームがある。ビームグループのインデックスは｛ｒ１（ｉ），ｒ２（ｉ）｝として表されてもよく、ここで、ｒ１＝０，１，．．．，Ｏ１−１、ｒ２＝０，１，．．．，Ｏ２−１、ｉ＝０，１，．．．，Ｐ−１である。各ビームグループにおいて、ビームは、（ｒ１（ｉ）＊Ｎ１＋ｘ１，ｒ２（ｉ）＊Ｎ２＋ｘ２）であり、ここで、ｘ１＝０，１，．．．，Ｎ１−１、ｘ２＝０，１，．．．，Ｎ２−１である。いくつかの実施形態では、Ｐ＝４のとき、選択された４つのビームグループのインデックス｛ｒ１（ｉ），ｒ２（ｉ）｝は、それぞれ｛ｒ１（０），ｒ２（０）｝、｛ｒ１（１），ｒ２（１）｝、｛ｒ１（２），ｒ２（２）｝、｛ｒ１（３），ｒ２（３）｝として表される。また、ｉ１，２に利用可能なビームの数はＭであり、ｉ１，２のビット数は、
【数２７】
2022502878.tif 000031
以下である。いくつかの実施形態では、ｒ２（ｉ）の値がすべて（０，２）からの値であるか、又はすべて（１，３）からの値である場合、ｉ１，２に利用可能なビームの数は４以下であり、ｉ１，２のビット数は、
【数２８】
2022502878.tif 000032
以下である。いくつかの実施形態では、ｉ＝０，１，２，３について、ｒ２（ｉ）の２つの値が（０，２）からの値であり、ｒ２（ｉ）の２つの値が（１，３）からの値である場合、ｉ１，２に利用可能なビームの数は２以下であり、ｉ１，２のビット数は、
【数２９】
2022502878.tif 000033
以下である。例えば、この場合、端末デバイスは、２よりも大きいＬで構成されると想定しない。代替的に、Ｌは２であるしかできない。いくつかの実施形態では、ｉ＝０，１，２，３について、ｒ２（ｉ）の３つの値が（０，２）からの値であり、ｒ２（ｉ）の１つの値が（１，３）からの値である場合、ｉ１，２に利用可能なビームの数は３以下であり、ｉ１，２のビット数は、
【数３０】
2022502878.tif 000034
以下である。例えば、この場合、端末デバイスは、３よりも大きいＬで構成されると想定しない。代替的に、Ｌは、２又は３のみであってもよい。いくつかの実施形態では、ｉ＝０，１，２，３について、ｒ２（ｉ）の１つの値が（０，２）からの値であり、ｒ２（ｉ）の３つの値が（１，３）からの値である場合、ｉ１，２に利用可能なビームの数は３以下であり、ｉ１，２のビット数は、
【数３１】
2022502878.tif 000035
以下である。例えば、この場合、端末デバイスは、３よりも大きいＬで構成されると想定しない。代替的に、Ｌは２又は３のみであってもよい。
【００７７】
いくつかの実施形態では、Ｎ１＝３、Ｎ２＝２の場合、ビームグループの合計数はＯ１＊Ｏ２＝１６であり、ビームの合計数はＮ１＊Ｎ２＊Ｏ１＊Ｏ２＝９６である。ＣＢＳＲ用の各ビームグループには６本のビームがある。ここで、ビームグループのインデックスは｛ｒ１（ｉ），ｒ２（ｉ）｝として表されてもよく、ここで、ｒ１＝０，１，．．．，Ｏ１−１、ｒ２＝０，１，．．．，Ｏ２−１、ｉ＝０，１，．．．，Ｐ−１である。各ビームグループにおいて、ビームは、（ｒ１（ｉ）＊Ｎ１＋ｘ１，ｒ２（ｉ）＊Ｎ２＋ｘ２）であり、ここで、ｘ１＝０，１，．．．，Ｎ１−１、ｘ２＝０，１，．．．，Ｎ２−１である。いくつかの実施形態では、Ｐ＝４のとき、選択された４つのビームグループのインデックス｛ｒ１（ｉ），ｒ２（ｉ）｝は、それぞれ｛ｒ１（０），ｒ２（０）｝、｛ｒ１（１），ｒ２（１）｝、｛ｒ１（２），ｒ２（２）｝、｛ｒ１（３），ｒ２（３）｝として表される。ｉ１，２に利用可能なビームの数はＭであり、ｉ１，２のビット数は、
【数３２】
2022502878.tif 000036
以下である。いくつかの実施形態では、ｒ２（ｉ）の値がすべて（０，２）からの値であるか、又はすべて（１，３）からの値である場合、ｉ１，２に利用可能なビームの数は４以下であり、ｉ１，２のビット数は、
【数３３】
2022502878.tif 000037
以下である。いくつかの実施形態では、ｉ＝０，１，２，３について、ｒ２（ｉ）の２つの値が（０，２）からの値であり、ｒ２（ｉ）の２つの値が（１，３）からの値である場合、ｉ１，２に利用可能なビームの数は２以下であり、ｉ１，２のビット数は、
【数３４】
2022502878.tif 000038
以下である。例えば、この場合、端末デバイスは、２よりも大きいＬで構成されると想定しない。代替的に、Ｌは２のみであってもよい。いくつかの実施形態では、ｉ＝０，１，２，３について、ｒ２（ｉ）の３つの値が（０，２）からの値であり、ｒ２（ｉ）の１つの値が（１，３）からの値である場合、ｉ１，２に利用可能なビームの数は３以下であり、ｉ１，２のビット数は、
【数３５】
2022502878.tif 000039
以下である。例えば、この場合、端末デバイスは、３よりも大きいＬで構成されると想定しない。代替的に、Ｌは、２又は３のみであってもよい。いくつかの実施形態では、ｉ＝０，１，２，３について、ｒ２（ｉ）の１つの値が（０，２）からの値であり、ｒ２（ｉ）の３つの値が（１，３）からの値である場合、ｉ１，２に利用可能なビームの数は３以下であり、ｉ１，２のビット数は、
【数３６】
2022502878.tif 000040
以下である。例えば、この場合、端末デバイスは、３よりも大きいＬで構成されると想定しない。代替的に、Ｌは、２又は３のみであってもよい。
【００７８】
いくつかの実施形態では、Ｎ１＝６、Ｎ２＝２の場合、ビームグループの合計数はＯ１＊Ｏ２＝１６であり、ビームの合計数はＮ１＊Ｎ２＊Ｏ１＊Ｏ２＝１９２である。ＣＢＳＲ用の各ビームグループには１２本のビームがある。ここで、ビームグループのインデックスは｛ｒ１（ｉ），ｒ２（ｉ）｝として表されてもよく、ここで、ｒ１＝０，１，．．．，Ｏ１−１、ｒ２＝０，１，．．．，Ｏ２−１、ｉ＝０，１，．．．，Ｐ−１である。各ビームグループにおいて、ビームは、（ｒ１（ｉ）＊Ｎ１＋ｘ１，ｒ２（ｉ）＊Ｎ２＋ｘ２）であり、ここで、ｘ１＝０，１，．．．，Ｎ１−１、ｘ２＝０，１，．．．，Ｎ２−１である。いくつかの実施形態では、Ｐ＝４のとき、選択された４つのビームグループのインデックス｛ｒ１（ｉ），ｒ２（ｉ）｝は、それぞれ｛ｒ１（０），ｒ２（０）｝、｛ｒ１（１），ｒ２（１）｝、｛ｒ１（２），ｒ２（２）｝、｛ｒ１（３），ｒ２（３）｝として表される。また、ｉ１，２に利用可能なビームの数はＭであり、ｉ１，２のビット数は、
【数３７】
2022502878.tif 000041
以下である。いくつかの実施形態では、ｒ２（ｉ）の値がすべて（０，２）からの値であるか、又はすべて（１，３）からの値である場合、ｉ１，２に利用可能なビームの数は８以下であり、ｉ１，２のビット数は、
【数３８】
2022502878.tif 000042
以下である。いくつかの実施形態では、ｉ＝０，１，２，３について、ｒ２（ｉ）の２つの値が（０，２）からの値であり、ｒ２（ｉ）の２つの値が（１，３）からの値である場合、ｉ１，２に利用可能なビームの数は４以下であり、ｉ１，２のビット数は、
【数３９】
2022502878.tif 000043
以下である。いくつかの実施形態では、ｉ＝０，１，２，３について、ｒ２（ｉ）の３つの値が（０，２）からの値であり、ｒ２（ｉ）の１つの値が（１，３）からの値である場合、ｉ１，２に利用可能なビームの数は６以下であり、ｉ１，２のビット数は、
【数４０】
2022502878.tif 000044
以下である。いくつかの実施形態では、ｉ＝０，１，２，３について、ｒ２（ｉ）の１つの値が（０，２）からの値であり、ｒ２（ｉ）の３つの値が（１，３）からの値である場合、ｉ１，２に利用可能なビームの数は６以下であり、ｉ１，２のビット数は
【数４１】
2022502878.tif 000045
以下である。
【００７９】
いくつかの実施形態では、Ｎ１＝８、Ｎ２＝２の場合、ビームグループの合計数はＯ１＊Ｏ２＝１６であり、ビームの合計数はＮ１＊Ｎ２＊Ｏ１＊Ｏ２＝２５６である。ＣＢＳＲ用の各ビームグループには１６本のビームがある。ここで、ビームグループのインデックスは｛ｒ１（ｉ），ｒ２（ｉ）｝として表されてもよく、ここで、ｒ１＝０，１，．．．，Ｏ１−１、ｒ２＝０，１，．．．，Ｏ２−１、ｉ＝０，１，．．．，Ｐ−１である。各ビームグループにおいて、ビームは、（ｒ１（ｉ）＊Ｎ１＋ｘ１，ｒ２（ｉ）＊Ｎ２＋ｘ２）であり、ここで、ｘ１＝０，１，．．．，Ｎ１−１、ｘ２＝０，１，．．．，Ｎ２−１である。いくつかの実施形態では、Ｐ＝４の場合、選択された４つのビームグループのインデックス｛ｒ１（ｉ），ｒ２（ｉ）｝は、それぞれ｛ｒ１（０），ｒ２（０）｝、｛ｒ１（１），ｒ２（１）｝、｛ｒ１（２），ｒ２（２）｝、｛ｒ１（３），ｒ２（３）｝として表される。ｉ１，２に利用可能なビームの数はＭであり、ｉ１，２のビット数は、
【数４２】
2022502878.tif 000046
以下である。いくつかの実施形態では、ｒ２（ｉ）の値がすべて（０，２）からの値であるか、又はすべて（１，３）からの値である場合、ｉ１，２に利用可能なビームの数は１６以下であり、ｉ１，２のビット数は、
【数４３】
2022502878.tif 000047
以下である。いくつかの実施形態では、ｉ＝０，１，２，３について、ｒ２（ｉ）の２つの値が（０，２）からの値であり、ｒ２（ｉ）の２つの値が（１，３）からの値である場合、ｉ１，２に利用可能なビームの数は８以下であり、ｉ１，２のビット数は、
【数４４】
2022502878.tif 000048
以下である。いくつかの実施形態では、ｉ＝０，１，２，３について、ｒ２（ｉ）の３つの値が（０，２）からの値であり、ｒ２（ｉ）の１つの値が（１，３）からの値である場合、ｉ１，２に利用可能なビームの数は１２以下であり、ｉ１，２のビット数は
【数４５】
2022502878.tif 000049
以下である。いくつかの実施形態では、ｉ＝０，１，２，３について、ｒ２（ｉ）の１つの値が（０，２）からの値であり、ｒ２（ｉ）の３つの値が（１，３）からの値である場合、ｉ１，２に利用可能なビームの数は１２以下であり、ｉ１，２のビット数は、
【数４６】
2022502878.tif 000050
以下である。
【００８０】
いくつかの実施形態では、Ｎ１＝２、Ｎ２＝２の場合、ビームグループの合計数はＯ１＊Ｏ２＝１６であり、ビームの合計数はＮ１＊Ｎ２＊Ｏ１＊Ｏ２＝６４である。ＣＢＳＲ用の各ビームグループには４本のビームがある。ここで、ビームグループのインデックスは｛ｒ１（ｉ），ｒ２（ｉ）｝として表されてもよく、ここで、ｒ１＝０，１，．．．，Ｏ１−１、ｒ２＝０，１，．．．，Ｏ２−１、ｉ＝０，１，．．．，Ｐ−１である。各ビームグループにおいて、ビームは、（ｒ１（ｉ）＊Ｎ１＋ｘ１，ｒ２（ｉ）＊Ｎ２＋ｘ２）であり、ここで、ｘ１＝０，１，．．．，Ｎ１−１、ｘ２＝０，１，．．．，Ｎ２−１である。いくつかの実施形態では、Ｐ＝４のとき、選択された４つのビームグループのインデックス｛ｒ１（ｉ），ｒ２（ｉ）｝は、それぞれ｛ｒ１（０），ｒ２（０）｝、｛ｒ１（１），ｒ２（１）｝、｛ｒ１（２），ｒ２（２）｝、｛ｒ１（３），ｒ２（３）｝として表される。また、ｉ１，２に利用可能なビームの数はＭであり、ｉ１，２のビット数は、
【数４７】
2022502878.tif 000051
以下である。いくつかの実施形態では、ｒ２（ｉ）の値がすべて（０，２）からの値であるか、又は（１，３）からの値であり、ｒ１（ｉ）の値がすべて（０，２）からの値であるか、又は（１，３）からの値である場合、ｉ１，２に利用可能なビームの数は４以下であり、ｉ１，２のビット数は、
【数４８】
2022502878.tif 000052
以下である。いくつかの実施形態では、ｒ２（ｉ）の値がすべて（０，２）からの値であるか、又はすべて（１，３）からの値であり、ｒ１（ｉ）の３つの値が（０，２）からの値であり、ｒ１（ｉ）の１つの値が（１，３）からの値である場合、ｉ１，２に利用可能なビームの数は３以下であり、ｉ１，２のビット数は、
【数４９】
2022502878.tif 000053
以下である。いくつかの実施形態では、ｒ２（ｉ）の値がすべて（０，２）からの値であるか、又はすべて（１，３）からの値であり、ｒ１（ｉ）の１つの値が（０，２）からの値であり、ｒ１（ｉ）の３つの値が（１，３）からの値である場合、ｉ１，２に利用可能なビームの数は３以下であり、ｉ１，２のビット数は、
【数５０】
2022502878.tif 000054
以下である。いくつかの実施形態では、ｒ１（ｉ）の値がすべて（０，２）からの値であるか、又はすべて（１，３）からの値であり、ｒ２（ｉ）の３つの値が（０，２）からの値であり、ｒ２（ｉ）の１つの値が（１，３）からの値である場合、ｉ１，２に利用可能なビームの数は３以下であり、ｉ１，２のビット数は、
【数５１】
2022502878.tif 000055
以下である。いくつかの実施形態では、ｒ１（ｉ）の値がすべて（０，２）からの値であるか、又はすべて（１，３）からの値であり、ｒ２（ｉ）の１つの値が（０，２）からの値であり、ｒ２（ｉ）の３つの値が（１，３）からの値である場合、ｉ１，２に利用可能なビームの数は３以下であり、ｉ１，２のビット数は、
【数５２】
2022502878.tif 000056
以下である。例えば、ｉ１，２に利用可能なビーム数が３以下の場合、端末デバイスは、３よりも大きいＬで構成されると想定しない。代替的に、Ｌは、２又は３のみであってもよい。いくつかの実施形態では、ｉ＝０，１，２，３について、ｒ２（ｉ）の２つの値が（０，２）からの値であり、ｒ２（ｉ）の２つの値が（１，３）からの値である場合、ｉ１，２に利用可能なビームの数は２以下であり、ｉ１，２のビット数は、
【数５３】
2022502878.tif 000057
以下である。例えば、この場合、端末デバイスは、２よりも大きいＬで構成されると想定しない。代替的に、Ｌは２のみであってもよい。いくつかの実施形態では、ｉ＝０，１，２，３について、ｒ１（ｉ）の２つの値が（０，２）からの値であり、ｒ１（ｉ）の２つの値が（１，３）からの値である場合、ｉ１，２に利用可能なビームの数は２以下であり、ｉ１，２のビット数は、
【数５４】
2022502878.tif 000058
以下である。例えば、この場合、端末デバイスは、２よりも大きいＬで構成されると想定しない。代替的に、Ｌは２のみであってもよい。
【００８１】
いくつかの実施形態では、表２に示すＮ１，Ｎ２の他の構成についても、ｉ１，２に利用可能なビームの最大数を決定することができる。
【００８２】
いくつかの実施形態では、例として、Ｎ２＝１、Ｎ１＝４の場合、対応するオーバーサンプリング係数は、Ｏ１＝４、Ｏ２＝１である。この場合、ビームグループの合計数はＯ１＊Ｏ２＝４であり、ビームの合計数はＮ１＊Ｎ２＊Ｏ１＊Ｏ２＝１６である。各ビームグループには４本のビームがある。この場合のアンテナアレイは４つの群にのみ分割されるので、４つの群から同じｘ１，ｘ２の値を持つＬ本の直交ビームを選択する必要がある。つまり、ｉ１，２に利用可能なビーム数はＭ＝４となる。なお、この場合、Ｍ＝Ｎ１＊Ｎ２となる。したがって、Ｎ２＝１、Ｎ１＝４の場合、ｉ１，２についてオーバーヘッドは削減されない。
【００８３】
いくつかの実施形態では、他の例として、Ｎ２＝２，Ｎ１＝２の場合、対応するオーバーサンプリング係数はＯ１＝４，Ｏ２＝４である。図３Ｂ及び３Ｃに示す例と同様に、ｉ１，２に利用可能なビームの合計数は、選択されたグループに依存する。ｒ２（ｉ）＝｛０，２｝又は｛１，３｝かつｒ１（ｉ）＝｛０，２｝又は｛１，３｝の場合、Ｍ＝４。ｒ２（ｉ）＝｛０，１｝又は｛２，３｝又は｛１，２｝かつｒ１（ｉ）＝｛０，２｝又は｛１，３｝の場合、Ｍ＝２。ｒ１（ｉ）＝｛０，１｝又は｛２，３｝又は｛１，２｝かつｒ２（ｉ）＝｛０，２｝又は｛１，３｝の場合、Ｍ＝２。ｒ１（ｉ）＝｛０，１｝又は｛２，３｝又は｛１，２｝かつｒ２（ｉ）＝｛０，１｝又は｛２，３｝又は｛１，２｝の場合，Ｍ＝１。ｉ１，２に利用可能なビームの最大数は、Ｍ＝４である。
【００８４】
いくつかの実施形態では、さらなる例として、Ｎ２＝３、Ｎ１＝４の場合、対応するオーバーサンプリング係数は、Ｏ１＝４、Ｏ２＝４である。図３Ｂ及び図３Ｃに示す例と同様に、ｉ１，２に利用可能なビームの合計数は、選択されたグループに依存する。ｉ＝０，１，２，３の場合のｒ１（ｉ）が同じである場合、Ｍ＝３であり、他の場合、Ｍ＝４である。ｉ１，２に利用可能なビームの最大数は、Ｍ＝４である。
【００８５】
いくつかの実施形態では、別の例として、Ｎ２＝６、Ｎ１＝２の場合、対応するオーバーサンプリング係数は、Ｏ１＝４、Ｏ２＝４である。この場合、ｉ＝０，１，２，３の場合のｒ２（ｉ）が同じである場合、Ｍ＝６。ｉ＝０，１，２，３の場合のｒ１（ｉ）が同じである場合、Ｍ＝２。ｒ１（ｉ）が３つの値を有し、ｒ２（ｉ）が２つの値を有する場合、Ｍ＝７。ｒ１（ｉ）が２つの値を有し、ｒ２（ｉ）＝｛０，２｝又は｛１，３｝である場合、Ｍ＝８。ｉ１，２に利用可能なビームの最大数は、Ｍ＝８である。
【００８６】
いくつかの実施形態では、別の例として、Ｎ２＝８、Ｎ１＝２の場合、対応するオーバーサンプリング係数は、Ｏ１＝４、Ｏ２＝４である。この場合、ｉ＝０，１，２，３の場合のｒ２（ｉ）が同じである場合、Ｍ＝８。ｉ＝０，１，２，３の場合のｒ１（ｉ）が同じである場合、Ｍ＝２。また、ｉ１，２に利用可能なビームの最大数は、Ｍ＝８である。
【００８７】
表２に示すＮ１，Ｎ２の構成の各ケースでは、１つのＮ１，Ｎ２の構成の状況ごとにＭの値を決定する必要はないことが理解できる。逆に、１つのＮ１，Ｎ２構成のための最大値Ｍが決定され、かつ決定されたＭがＮ１＊Ｎ２の値よりも小さい場合、ｉ１，２についてフィードバックのオーバーヘッドが削減され得る。
【００８８】
いくつかの実施形態では、Ｎ１，Ｎ２の異なる値について、ＣＢＳＲが構成されている場合、第１のＣＢＳＲに応じて、第１のＰＭＩに利用可能なビームグループの数Ｋは、Ｏ１＊Ｏ２よりも大きくない。例えば、ｉ１，１のビット数は、
【数５５】
2022502878.tif 000059
以下である。
【００８９】
例として、図４に、Ｎ１＝４及びＮ２＝２、Ｏ１＝４及びＯ２＝４で定義されるアンテナアレイ４０００が示される。アンテナアレイ４０００では、ビームグループの合計数はＯ１＊Ｏ２＝１６であり、ビームの合計数はＮ１＊Ｎ２＊Ｏ１＊Ｏ２＝１２８である。各ビームグループには８本のビームがある。ビームグループのインデックスは、｛ｒ１（ｉ），ｒ２（ｉ）｝として表されてもよく、ここで、ｒ１＝０，１，・・・，Ｏ１−１、ｒ２＝０，１，・・・，Ｏ２−１、ｉ＝０，１，・・・，Ｐ−１である。各ビームグループにおいて、ビームは、（ｒ１（ｉ）＊Ｎ１＋ｘ１，ｒ２（ｉ）＊Ｎ２＋ｘ２）であり、ここで、ｘ１＝０，１，．．．，Ｎ１−１、ｘ２＝０，１，．．．，Ｎ２−１である。
【００９０】
第１のＣＢＳＲに応じて、図４に示すように、アンテナアレイ４０００において、グループ４１００〜４１０３である４つのビームグループを選択することができる。選択されたビームグループのインデックス｛ｒ１（ｉ），ｒ２（ｉ）｝は、それぞれ｛０，０｝、｛０，１｝、｛０，２｝、｛０，３｝として表される。言い換えれば、ｉ＝０，１，２，３の場合のｒ２（ｉ）は同じである。上述したように、ビームの対応する位置に関連するインデックスが式（４）又は（５）を満たす場合、ビームは互いに直交することになる。例えば、この場合、ビームグループ４１００からビーム、例えばビーム４１１０が選択される場合、１５個のビームグループのうち、７つの他のビームグループ、即ち、ビームグループ４１０２、４１０４〜４１０６及び４１０７〜４１０９のみが、ビームグループ４１１０に直交するビームを含む。したがって、ｉ１，１に利用可能なビームグループの数Ｋは、Ｏ１＊Ｏ２の値よりも少ない８である。そのため、ｉ１，１についてフィードバックのオーバーヘッドが低減され得る。
【００９１】
Ｎ１＝４及びＮ２＝２、Ｏ１＝４及びＯ２＝４の場合を引き続き参照し、同様に、ｉ＝０，１，２，３の場合のｒ１（ｉ）が同じである場合、Ｋ＝８。ｒ１（ｉ）が２つの値を有し、ｒ２（ｉ）＝｛０，２｝又は｛１，３｝である場合、Ｋ＝８。それ以外の場合、Ｋ＝１６。
【００９２】
いくつかの実施形態では、他の例として、Ｎ２＝２、Ｎ１＝２の場合、対応するオーバーサンプリング係数は、Ｏ１＝４、Ｏ２＝４である。この場合、ｉ＝０，１，２，３の場合のｒ２（ｉ）が同じである場合、Ｋ＝８。ｉ＝０，１，２，３の場合のｒ１（ｉ）が同じである場合、Ｋ＝８。ｒ２（ｉ）が２つの値を有し、ｒ１（ｉ）が２つの値を有すると、ｒ２（ｉ）＝｛０，２｝又は｛１，３｝及びｒ１（ｉ）＝｛０，２｝又は｛１，３｝以外の場合、Ｋ＝４。それ以外の場合、Ｋ＝８。
【００９３】
いくつかの実施形態では、他の例として、Ｎ２＝３、Ｎ１＝４の場合、対応するオーバーサンプリング係数は、Ｏ１＝４、Ｏ２＝４である。この場合、ｉ＝０，１，２，３の場合のｒ２（ｉ）が同じで場合、Ｋ＝１２。それ以外の場合、Ｋ＝１６。
【００９４】
いくつかの実施形態では、他の例として、Ｎ２＝２、Ｎ１＝３の場合、対応するオーバーサンプリング係数は、Ｏ１＝４、Ｏ２＝４である。この場合、ｉ＝０，１，２，３の場合のｒ２（ｉ）が同じである場合、Ｋ＝８。ｉ＝０，１，２，３の場合のｒ１（ｉ）が同じである場合、Ｋ＝１２。ｒ１（ｉ）が２つの値を有し、ｒ２（ｉ）＝｛０，２｝又は｛１，３｝である場合、Ｋ＝１２。それ以外の場合、Ｋ＝１６。
【００９５】
いくつかの実施形態では、端末デバイス１２０は、ネットワークデバイス１１０から受信したＲＲＣシグナリングから第２のＣＢＳＲも取得し、第２のＣＢＳＲは、ビームセットから選択された第５の数の第２のビームグループと、前記ビームセットから選択された第６の数のビームとを示す。いくつかの実施形態では、第２のＣＢＳＲは、１つのビームの振幅値の制限を指してもよい。
【００９６】
いくつかの実施形態では、Ｎ１＝４、Ｎ２＝２の場合、ビームグループの合計数はＯ１＊Ｏ２＝１６であり、ビームの合計数はＮ１＊Ｎ２＊Ｏ１＊Ｏ２＝１２８である。ＣＢＳＲ用の各ビームグループには８本のビームがある。ビームグループのインデックスは｛ｒ１（ｉ），ｒ２（ｉ）｝で表されてもよく、ここで、ｒ１＝０，１，．．．，Ｏ１−１、ｒ２＝０，１，．．．，Ｏ２−１、ｉ＝０，１，．．．，Ｐ−１である。各ビームグループにおいて、ビームは、（ｒ１（ｉ）＊Ｎ１＋ｘ１，ｒ２（ｉ）＊Ｎ２＋ｘ２）であり、ここで、ｘ１＝０，１，．．．，Ｎ１−１、ｘ２＝０，１，．．．，Ｎ２−１である。いくつかの実施形態では、Ｐ＝４のとき、選択された４つのビームグループのインデックス｛ｒ１（ｉ），ｒ２（ｉ）｝は、それぞれ｛ｒ１（０），ｒ２（０）｝、｛ｒ１（１），ｒ２（１）｝、｛ｒ１（２），ｒ２（２）｝、｛ｒ１（３），ｒ２（３）｝として表される。そして、ｉ１，１に利用可能なビームグループの数はＫであり、ｉ１，１のビット数は、
【数５６】
2022502878.tif 000060
以下である。いくつかの実施形態では、ｒ２（ｉ）の値がすべて（０，２）からの値であるか、又はすべて（１，３）からの値である場合、ｉ１，１に利用可能なビームグループの数は８以下であり、ｉ１，１のビット数は
【数５７】
2022502878.tif 000061
以下である。
【００９７】
いくつかの実施形態では、Ｎ１＝３、Ｎ２＝２の場合、ビームグループの合計数はＯ１＊Ｏ２＝１６であり、ビームの合計数はＮ１＊Ｎ２＊Ｏ１＊Ｏ２＝９６である。ＣＢＳＲ用の各ビームグループには６本のビームがある。ビームグループのインデックスは｛ｒ１（ｉ），ｒ２（ｉ）｝として表されてもよく、ここで、ｒ１＝０，１，．．．，Ｏ１−１、ｒ２＝０，１，．．．，Ｏ２−１、ｉ＝０，１，．．．，Ｐ−１である。各ビームグループにおいて、ビームは、（ｒ１（ｉ）＊Ｎ１＋ｘ１，ｒ２（ｉ）＊Ｎ２＋ｘ２）であり、ここで、ｘ１＝０，１，．．．，Ｎ１−１、ｘ２＝０，１，．．．，Ｎ２−１である。いくつかの実施形態では、Ｐ＝４のとき、選択された４つのビームグループのインデックス｛ｒ１（ｉ），ｒ２（ｉ）｝は、それぞれ｛ｒ１（０），ｒ２（０）｝、｛ｒ１（１），ｒ２（１）｝、｛ｒ１（２），ｒ２（２）｝、｛ｒ１（３），ｒ２（３）｝として表される。そして、ｉ１，１に利用可能なビームグループの数はＫであり、ｉ１，１のビット数は、
【数５８】
2022502878.tif 000062
以下である。いくつかの実施形態では、ｒ２（ｉ）の値がすべて（０，２）からの値であるか、又はすべて（１，３）からの値である場合、ｉ１，１に利用可能なビームグループの数は８以下であり、ｉ１，１のビット数は
【数５９】
2022502878.tif 000063
以下である。いくつかの実施形態では、ｉ＝０，１，２，３について、ｒ２（ｉ）の値がすべて同じであり、例えば、０、１、２又は３と同じである場合、ｉ１，１に利用可能なビームグループの数は６以下であり、ｉ１，１のビット数は、
【数６０】
2022502878.tif 000064
以下である。いくつかの実施形態では、ｉ＝０，１，２，３について、ｒ１（ｉ）の値がすべて同じであり、例えば、０、１、２又は３と同じである場合、ｉ１，１に利用可能なビームグループの数は１２以下であり、ｉ１，１のビット数は、
【数６１】
2022502878.tif 000065
以下である。
【００９８】
いくつかの実施形態では、Ｎ１＝６、Ｎ２＝２の場合、ビームグループの合計数はＯ１＊Ｏ２＝１６であり、ビームの合計数はＮ１＊Ｎ２＊Ｏ１＊Ｏ２＝１９２である。ＣＢＳＲ用の各ビームグループには１２本のビームがある。ビームグループのインデックスは｛ｒ１（ｉ），ｒ２（ｉ）｝として表されてもよく、ここで、ｒ１＝０，１，．．．，Ｏ１−１、ｒ２＝０，１，．．．，Ｏ２−１、ｉ＝０，１，．．．，Ｐ−１である。各ビームグループにおいて、ビームは、（ｒ１（ｉ）＊Ｎ１＋ｘ１，ｒ２（ｉ）＊Ｎ２＋ｘ２）であり、ここで、ｘ１＝０，１，．．．，Ｎ１−１、ｘ２＝０，１，．．．，Ｎ２−１である。いくつかの実施形態では、Ｐ＝４のとき、選択された４つのビームグループのインデックス｛ｒ１（ｉ），ｒ２（ｉ）｝は、それぞれ｛ｒ１（０），ｒ２（０）｝、｛ｒ１（１），ｒ２（１）｝、｛ｒ１（２），ｒ２（２）｝、｛ｒ１（３），ｒ２（３）｝として表される。そして、ｉ１，１に利用可能なビームグループの数はＫであり、ｉ１，１のビット数は、
【数６２】
2022502878.tif 000066
以下である。いくつかの実施形態では、ｒ２（ｉ）の値がすべて（０，２）からの値であるか、又はすべて（１，３）からの値である場合、ｉ１，１に利用可能なビームグループの数は８以下であり、ｉ１，１のビット数は
【数６３】
2022502878.tif 000067
以下である。
【００９９】
いくつかの実施形態では、Ｎ１＝８、Ｎ２＝２の場合、ビームグループの合計数はＯ１＊Ｏ２＝１６であり、ビームの合計数はＮ１＊Ｎ２＊Ｏ１＊Ｏ２＝２５６である。ＣＢＳＲ用の各ビームグループには１６本のビームがある。ビームグループのインデックスは｛ｒ１（ｉ），ｒ２（ｉ）｝として表されてもよく、ここで、ｒ１＝０，１，．．．，Ｏ１−１、ｒ２＝０，１，．．．，Ｏ２−１、ｉ＝０，１，．．．，Ｐ−１である。各ビームグループにおいて、ビームは、（ｒ１（ｉ）＊Ｎ１＋ｘ１，ｒ２（ｉ）＊Ｎ２＋ｘ２）であり、ここで、ｘ１＝０，１，．．．，Ｎ１−１、ｘ２＝０，１，．．．，Ｎ２−１である。いくつかの実施形態では、Ｐ＝４のとき、選択された４つのビームグループのインデックス｛ｒ１（ｉ），ｒ２（ｉ）｝は、それぞれ｛ｒ１（０），ｒ２（０）｝、｛ｒ１（１），ｒ２（１）｝、｛ｒ１（２），ｒ２（２）｝、｛ｒ１（３），ｒ２（３）｝として表される。そして、ｉ１，１に利用可能なビームグループの数はＫであり、ｉ１，１のビット数は、
【数６４】
2022502878.tif 000068
以下である。いくつかの実施形態では、ｒ２（ｉ）の値がすべて（０，２）からの値であるか、又はすべて（１，３）からの値である場合、ｉ１，１に利用可能なビームグループの数は８以下であり、ｉ１，１のビット数は
【数６５】
2022502878.tif 000069
以下である。
【０１００】
いくつかの実施形態では、Ｎ１＝２、Ｎ２＝２の場合、ビームグループの合計数はＯ１＊Ｏ２＝１６であり、ビームの合計数はＮ１＊Ｎ２＊Ｏ１＊Ｏ２＝６４である。ＣＢＳＲ用の各ビームグループには４本のビームがある。ビームグループのインデックスは｛ｒ１（ｉ），ｒ２（ｉ）｝として表されてもよく、ここで、ｒ１＝０，１，．．．，Ｏ１−１、ｒ２＝０，１，．．．，Ｏ２−１、ｉ＝０，１，．．．，Ｐ−１である。各ビームグループにおいて、ビームは、（ｒ１（ｉ）＊Ｎ１＋ｘ１，ｒ２（ｉ）＊Ｎ２＋ｘ２）であり、ここで、ｘ１＝０，１，．．．，Ｎ１−１、ｘ２＝０，１，．．．，Ｎ２−１である。いくつかの実施形態では、Ｐ＝４のとき、選択された４つのビームグループのインデックス｛ｒ１（ｉ），ｒ２（ｉ）｝は、それぞれ｛ｒ１（０），ｒ２（０）｝、｛ｒ１（１），ｒ２（１）｝、｛ｒ１（２），ｒ２（２）｝、｛ｒ１（３），ｒ２（３）｝として表される。そして、ｉ１，１に利用可能なビームグループの数はＫであり、ｉ１，１のビット数は、
【数６６】
2022502878.tif 000070
以下である。いくつかの実施形態では、ｒ２（ｉ）の値がすべて（０，２）からの値であるか、又はすべて（１，３）からの値である場合、ｉ１，１に利用可能なビームグループの数は８以下であり、ｉ１，１のビット数は
【数６７】
2022502878.tif 000071
以下である。いくつかの実施形態では、ｒ１（ｉ）の値がすべて（０，２）からの値であるか、又はすべて（１，３）からの値である場合、ｉ１，１に利用可能なビームグループの数は８以下であり、ｉ１，１のビット数は
【数６８】
2022502878.tif 000072
以下である。いくつかの実施形態では、ｒ１（ｉ）の値が全て（０，２）からの値であるか、又はすべて（１，３）からの値でであり、ｒ２（ｉ）の値が全て（０，２）からの値であるか、又はすべて（１，３）からの値である場合、ｉ１，１に利用可能なビームグループの数は４以下であり、ｉ１，１のビット数は、
【数６９】
2022502878.tif 000073
以下である。
【０１０１】
いくつかの実施形態では、Ｎ１＝４、Ｎ２＝３の場合、ビームグループの合計数はＯ１＊Ｏ２＝１６であり、ビームの合計数はＮ１＊Ｎ２＊Ｏ１＊Ｏ２＝１９２である。ＣＢＳＲ用の各ビームグループには１２本のビームがある。ビームグループのインデックスは｛ｒ１（ｉ），ｒ２（ｉ）｝として表されてもよく、ここで、ｒ１＝０，１，．．．，Ｏ１−１、ｒ２＝０，１，．．．，Ｏ２−１、ｉ＝０，１，．．．，Ｐ−１である。各ビームグループにおいて、ビームは、（ｒ１（ｉ）＊Ｎ１＋ｘ１，ｒ２（ｉ）＊Ｎ２＋ｘ２）であり、ここで、ｘ１＝０，１，．．．，Ｎ１−１、ｘ２＝０，１，．．．，Ｎ２−１である。いくつかの実施形態では、Ｐ＝４のとき、選択された４つのビームグループのインデックス｛ｒ１（ｉ），ｒ２（ｉ）｝は、それぞれ｛ｒ１（０），ｒ２（０）｝、｛ｒ１（１），ｒ２（１）｝、｛ｒ１（２），ｒ２（２）｝、｛ｒ１（３），ｒ２（３）｝として表される。そして、ｉ１，１に利用可能なビームグループの数はＫであり、ｉ１，１のビット数は、
【数７０】
2022502878.tif 000074
以下である。いくつかの実施形態では、ｉ＝０，１，２，３について、ｒ２（ｉ）の値がすべて同じであり、例えば、０、１、２又は３と同じである場合、ｉ１，１に利用可能なビームグループの数は１２以下であり、ｉ１，１のビット数は、
【数７１】
2022502878.tif 000075
以下である。
【０１０２】
いくつかの実施形態では、端末デバイスは、第１のＰＭＩ及び第２のＰＭＩと第２のＣＢＳＲに基づいて第３のＰＭＩを決定してもよい。第３のＰＭＩは、第１のＰＭＩ及び第２のＰＭＩと第２のＣＢＳＲに基づいて決定された第７の数のビームの少なくとも１つの広帯域振幅係数を示す。
【０１０３】
上述したように、ｉ１，２に利用可能な値の数Ｍと、ｉ１，１に利用可能な値の数Ｋとが決定されたことを仮定する。第２のＣＢＳＲに応じて、アンテナアレイで４つのビームグループを選択することができる。アンテナアレイで選択されたビームグループのインデックスは、｛Ｎ１＊ｒ＿１ｉ＋ｘ，Ｎ２＊ｒ＿２ｉ＋ｙ｝として表されてもよく，ここで、ｉ＝０，１，２，３、ｘ＝０，１，２，．．．，Ｎ１−１、ｙ＝０，１，２，．．．，Ｎ２−１である。ｘとｙの値が一定であり、かつ、ｉ＝０，１，２，３の場合、選択されたビームグループにおける振幅が０でないビームの数をＷと呼ぶ。Ｗ＜Ｌの場合、十分なビームが選択できない。言い換えれば、ｘ，ｙの値を持つビームは利用できず、選択されないことになる。ｉ１，１とｉ１，２で与えられる決定されたビーム数について、第２のＣＢＳＲに基づいて選択されたビームグループにおける（ｘ，ｙ）のペア数をＺとし、且つＷ＜Ｌを満たす場合、ｉ１，１に利用可能な値の数、即ちＫと、ｉ１，２に利用可能な値の数、即ちＭとは、Ｚによってさらに制限され得る。言い換えれば、ｉ１，１に利用可能な値の数はＫ−Ｚであり、ｉ１，２に利用可能な値の数はＭ−Ｚである。
【０１０４】
通常、１つの端末デバイスに対して選択されるビームの間隔は、あまりにも大きいはずがない。そのため、いくつかの実施形態では、アンテナアレイ内の直交ビームの間隔の範囲を決定するが、Ｎ１＊Ｎ２からのｉ１，２に利用可能なビーム数を制限することがある。図５は、アンテナアレイ５００を示す。
【０１０５】
図５から分かるように、アンテナアレイ５００には、１６個のビームグループがある。異なるビームグループでは、Ｏ１によって互いに間隔を空けるビームは、互いに直交している。例えば、Ｎ１＝４、Ｎ２＝４、Ｏ１＝４、Ｏ２＝４の場合、ビームグループ５１００のビームは、アンテナアレイ５００の他のビームグループにおける対応するビームと直交している。通常の状況では、利用可能なビームＬは１６本である。互いに直交するビームの間隔が制限され、例えば、間隔ｄ＝２Ｏ１である場合、利用可能なビームＬは９に制限される。ｉ１，２について、
【数７２】
2022502878.tif 000076
は、
【数７３】
2022502878.tif 000077
に書き換えられる。Ｎ１＊Ｎ２の値と比較して、選択されたビームの利用可能な数が減少する。ｉ１，２についてフィードバックのオーバーヘッドが削減され得る。
【０１０６】
いくつかの実施形態では、端末デバイス１２０は、第４のＰＭＩをさらに決定してもよい。第４のＰＭＩは、第７の数のビームの少なくとも１つのサブバンド振幅係数を示す。
【０１０７】
表１を参照して、ｉ１，４，１は、Ｌ本ビームにおける各ビームの振幅係数の広帯域指示とみなされてもよく、ｉ２，２，１は、広帯域振幅値がゼロでないサブバンド内の２Ｌ−１本ビームからのビームの位相係数のサブバンド指示（a subband indication）とみなされてもよい。ｉ２，２，１について、Ｍｌは、ゼロでない広帯域振幅係数を有するビームの数を表す。
【０１０８】
ＣＳＩレポートは、第１のＣＳＩ部分と第２のＣＳＩ部分を含んでもよい。一般的に、ゼロでない広帯域振幅係数の数Ｍｌを報告するオーバーヘッドを考慮して、第１のＣＳＩ部分において、Ｍｌをネットワークデバイスに報告する。いくつかの実施形態では、広帯域振幅係数（即ち、ｉ１，４，１）は、第１のＣＳＩ部分においてネットワークデバイスに報告される。そのため、ゼロでない広帯域振幅係数を有するビームの数（即ち、Ｍｌ）を報告する必要はない。
【０１０９】
第１のＣＳＩ部分のＣＳＩフィールドのマッピング順序を以下の表３に示す。
【表３】
2022502878.tif 000078
【０１１０】
上述したように、サブバンド振幅係数について、オーバーヘッドは、ゼロでない広帯域振幅係数の数に依存する。しかし、一部の広帯域振幅係数がゼロでないとしても、これらの広帯域振幅係数は十分に大きいものではない。したがって、これらの広帯域振幅係数について、サブバンド振幅係数を調整する必要はない。
【０１１１】
いくつかの実施形態では、ゼロでない広帯域振幅係数の数にさらに閾値を設定してもよい。いくつかの実施形態では、閾値は、
【数７４】
2022502878.tif 000079
のいずれか１つであってもよい。閾値以下の広帯域振幅係数を有するビームについて、サブバンド振幅係数を報告する必要はない。即ち、サブバンド振幅係数を１に設定し、ｉ２，２，１及び／又はｉ２，２，２を報告しない。例えば、広帯域振幅係数の８つの可能な値、即ち、
【数７５】
2022502878.tif 000080
について、閾値をそれぞれ
【数７６】
2022502878.tif 000081
に設定してもよい。
【０１１２】
図２に戻り、ブロック２３０において、端末デバイス１２０は、少なくとも１つのＰＭＩをネットワークデバイス１２０に送信する。例えば、少なくとも１つのＰＭＩは、物理アップリンク制御チャネル（ＰＵＣＣＨ）を介してネットワークデバイス１２０に送信される。
【０１１３】
上記から分かるように、本開示の実施形態は、ＣＳＩフィードバックのオーバーヘッドを削減するためのソリューションを提供する。このソリューションによれば、フィードバックにＣＢＳＲを導入することによって、ｉ１，２、ｉ１，１、ｉ１，４，１及びｉ２，１，１に関連付けられるＰＭＩについて、フィードバックのオーバーヘッドが大幅に削減される。
【０１１４】
図６は、本開示のいくつかの実施形態にかかるチャネル状態情報（ＣＳＩ）フィードバックのオーバーヘッドを削減するための例示的な方法６００のフローチャートを示す。方法６００は、図１に示すネットワークデバイス１１０において実施され得る。説明の目的のために、方法６００は、図１を参照してネットワークデバイス１１０の観点から説明される。
【０１１５】
ブロック６１０において、ネットワークデバイス１１０は、コードブック構成及び参照信号を端末デバイスに送信し、コードブック構成は、少なくとも１つのコードブックサブセット制限（ＣＢＳＲ）を示す。
【０１１６】
ブロック６２０において、ネットワークデバイス１１０は、端末デバイスとネットワークデバイスとの間のビームセットのうち、少なくとも１つのＣＢＳＲに少なくとも部分的に基づいて選択された複数のビームに関連付けられる少なくとも１つのプレコーディングマトリクスインジケータ（ＰＭＩ）を受信し、少なくとも１つのＰＭＩは、端末デバイスによって参照信号に基づいて決定されたものである。
【０１１７】
さらに、いくつかの実施形態では、ネットワークデバイス１１０は、少なくとも１つのＰＭＩから目標ビームを決定し、目標ビームを介して端末デバイスに信号を送信する。
【０１１８】
最後に、本開示の原理及び実施は、図７を参照して以下に詳細に説明される。図７は、本開示の実施形態にかかるＵＣＩ送信のためのプロセス７００を示す。説明の目的のために、プロセス７００は、図１を参照して説明される。プロセス７００は、図１のネットワークデバイス１１０及び端末デバイス１２０に関わる。
【０１１９】
ネットワークデバイス１１０は、コードブック構成及び参照信号を端末デバイス１２０に送信する（７０５）。コードブック構成は、少なくとも１つのコードブックサブセット制限（ＣＢＳＲ）を示す。チャネル構成に関連付けられる様々なパラメータは、端末デバイス１２０によって取得され得る。
【０１２０】
端末デバイス１２０は、端末デバイスとネットワークデバイスとの間のビームセットのうち、少なくとも１つのＣＢＳＲに少なくとも部分的に基づいて選択された複数のビームに関連付けられる少なくとも１つのプレコーディングマトリクスインジケータ（ＰＭＩ）を決定する（７１０）。いくつかの特定のビーム又はビームグループに関連付けられる少なくとも１つのＰＭＩを決定するために、端末デバイス１２０は、ネットワークデバイスから受信したＲＲＣシグナリングに基づいて、ネットワークデバイス１１０のアンテナアレイの第１の次元及び第２の次元におけるアンテナポートの数と、ネットワークデバイス１１０のアンテナアレイの第１の次元及び第２の次元におけるアンテナポートの数に対応するオーバーサンプリング係数とを取得する。さらに、端末デバイス１２０は、第１のＣＢＳＲ及び第２のＣＢＳＲを取得する。
【０１２１】
端末デバイス１２０は、少なくとも１つのＰＭＩをネットワークデバイス１１０に送信する（７１５）。ネットワークデバイス１１０は、少なくとも１つのＰＭＩから目標ビームを決定し（７２０）、目標ビームを介して端末デバイス１２０に信号を送信する（７２５）。
【０１２２】
本開示の実施形態は、ＣＳＩフィードバックのオーバーヘッドを削減するためのソリューションを提供することが分かる。このソリューションによれば、フィードバックにＣＢＳＲを導入することによって、ｉ１，２、ｉ１，１、ｉ１，４，１及びｉ２，１，１に関連付けられるＰＭＩについて、フィードバックのオーバーヘッドが大幅に削減される。
【０１２３】
図８は、本開示の実施形態の実施に適するデバイス８００の簡略的なブロック図である。デバイス８００は、図１に示すネットワークデバイス１１０又は端末デバイス１２０のさらなる例示的な実施と見なされることができる。そのため、デバイス８００は、ネットワークデバイス１１０或いは端末デバイス１２０で実施され、又はネットワークデバイス１１０或いは端末デバイス１２０の少なくとも一部として実施されることができる。
【０１２４】
図示のように、デバイス８００は、プロセッサ８１０と、プロセッサ８１０に接続されているメモリ８２０と、プロセッサ８１０に接続されている適切な送信機（ＴＸ）及び受信機（ＲＸ）８４０と、ＴＸ／ＲＸ８４０に接続されている通信インターフェースとを備える。メモリ８１０は、プログラム８３０の少なくとも一部を格納する。ＴＸ／ＲＸ８４０は、双方向通信するためのものである。ＴＸ／ＲＸ８４０は、通信を容易にするために少なくとも１つのアンテナを有するが、実際には、本願で言及されるアクセスノードは、いくつかを有してもよい。通信インターフェースは、ｅＮＢ間の双方向通信用のＸ２インターフェース、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ  Ｇａｔｅｗａｙ）とｅＮＢとの間の通信用のＳ１インターフェース、ｅＮＢとリレーノード（ＲＮ：Ｒｅｌａｙ  Ｎｏｄｅ）との間の通信用のＵｎインターフェース、又はｅＮＢと端末デバイスとの間の通信用のＵｕインターフェースなど、他のネットワーク要素との通信に必要な任意のインターフェースを表してもよい。
【０１２５】
プログラム８３０は、関連するプロセッサ８１０によって実行されると、本明細書で図２〜図７を参照して説明したように、デバイス８００が本開示の実施形態に従って動作することを可能にするプログラム命令を含むと想定される。本開示の実施形態は、デバイス８００のプロセッサ８１０によって実行可能なコンピュータソフトウェアにより、又はハードウェアにより、又はソフトウェアとハードウェアの組み合わせにより実装されてもよい。プロセッサ８１０は、本開示の様々な実施形態を実施するように構成されてもよい。さらに、プロセッサ８１０とメモリ８２０の組合せは、本開示の様々な実施形態を実施するのに適した処理手段８５０を形成してもよい。
【０１２６】
メモリ８２０は、ローカル技術ネットワークに適した任意のタイプのものであってもよく、非限定的な例として、非一時的なコンピュータ読み取り可能な記憶媒体、半導体系のメモリデバイス、磁気メモリデバイス及びシステム、光メモリデバイス及びシステム、固定メモリ及びリムーバブルメモリなどの任意の適切なデータストレージ技術を使用して実施されてもよい。デバイス８００には１つのメモリ８２０のみが示されているが、物理的に別個であるいくつかのメモリモジュールがあってもよい。プロセッサ８１０は、ローカル技術ネットワークに適した任意のタイプのものであってもよく、非限定的な例として、汎用コンピュータ、専用コンピュータ、マイクロプロセッサ、デジタル信号プロセッサ（ＤＳＰ：Ｄｉｇｉｔａｌ  Ｓｉｇｎａｌ  Ｐｒｏｃｅｓｓｏｒ）、及びマルチコアプロセッサアーキテクチャに基づくプロセッサのうちの１つ又は複数を含んでもよい。デバイス８００は、メインプロセッサを同期させるクロックに時間的に従属する特定用途向け集積回路チップなどの複数のプロセッサを有してもよい。
【０１２７】
一般的に、本開示の様々な実施形態は、ハードウェア又は専用回路、ソフトウェア、ロジック、又はそれらの任意の組合せで実施されてもよい。一部の態様はハードウェアで実施され、他の態様はコントローラ、マイクロプロセッサ又は他のコンピューティングデバイスによって実行されるファームウェア又はソフトウェアで実施されてもよい。本開示の実施形態の様々な態様は、ブロック図、フローチャート、又は他の何らかの画像表現を使用して例示及び説明されているが、本明細書で説明されるこれらのブロック、装置、システム、技術又は方法は、非限定的な例として、ハードウェア、ソフトウェア、ファームウェア、専用回路又はロジック、汎用ハードウェア又はコントローラ又は他のコンピューティングデバイス、又はそれらの組み合わせに実施されてもよいと理解される。
【０１２８】
本開示は、さらに、非一時的なコンピュータ読み取り可能な記憶媒体に有形に格納された少なくとも１つのコンピュータプログラム製品を提供する。コンピュータプログラム製品は、図２〜図１１のいずれかを参照して上記で説明したプロセス又は方法を実行するために、プログラムモジュールに含まれるものなどの、対象の実プロセッサ又は仮想プロセッサ上のデバイスで実行される、コンピュータ実行可能な命令を含む。一般的に、プログラムモジュールは、特定のタスクを実行する、又は特定の抽象データ型を実装するルーチン、プログラム、ライブラリ、オブジェクト、クラス、コンポーネント、データ構造などを含む。プログラムモジュールの機能は、様々な実施形態で必要に応じてプログラムモジュール間で組み合わせるか、又は分割してもよい。プログラムモジュールのためのマシン実行可能な命令は、ローカルデバイスで実行されてもよいし、分散型デバイスで実行されてもよい。分散型デバイスでは、プログラムモジュールはローカルとリモートのストレージメディアの両方に配置されてもよい。
【０１２９】
本開示の方法を実行するためのプログラムコードは、１つ又は複数のプログラミング言語の任意の組合せで記述されてもよい。これらのプログラムコードは、汎用コンピュータ、専用コンピュータ、又はその他のプログラマブルデータ処理装置のプロセッサ又はコントローラに提供されることによって、プログラムコードがプロセッサ又はコントローラによって実行されると、フローチャート及び／又はブロック図に規定される機能／動作が実現される。プログラムコードは、完全にマシン上で実行されたり、その一部がマシン上で実行されたり、スタンドアロンソフトウェアパッケージとして実行されたり、一部がマシン上で実行され、かつ一部がリモートマシン上で実行されたり、又は完全にリモートマシン又はサーバー上で実行されたりすることができる。
【０１３０】
前記プログラムコードは、命令実行システム、装置、又はデバイスによって、又はそれらと関連して使用するためのプログラムを含むか、又は格納する任意の有形媒体であり得るマシン読み取り可能な媒体上で具現化されてもよい。マシン読み取り可能な媒体は、マシン読み取り可能な信号媒体又はマシン読み取り可能な記憶媒体であってもよい。マシン読み取り可能な媒体は、電子、磁気、光学、電磁気、赤外線、又は半導体システム、装置、又はデバイス、あるいは前述の任意の適切な組合せを含むが、これらに限定されない。マシン読み取り可能な記憶媒体のより具体的な例には、１つ又は複数のワイヤによる電気的な接続、ポータブルコンピュータディスケット、ハードディスク、ランダムアクセスメモリ（ＲＡＭ）、読み取り専用メモリ（ＲＯＭ）、消去可能なプログラマブル読み出し専用メモリ（ＥＰＲＯＭ又はフラッシュメモリ）、光ファイバー、ポータブルコンパクトディスク読み取り専用メモリ（ＣＤ−ＲＯＭ）、光学式ストレージデバイス、磁気ストレージデバイス、又は前述の任意の適切な組合せが挙げられる。
【０１３１】
さらに、操作は特定の順序で図面に描かれているが、これは、望ましい結果を達成するために、そのような操作が図示の特定の順序又は連続順序で実行されること、又はすべての描かれた操作が実行されることを要求するものとして理解されるべきではない。特定の状況では、マルチタスクと並列処理が有利な場合がある。同様に、上記説明にはいくつかの特定の実装の詳細が含まれているが、これらは本開示の範囲の制限としてではなく、特定の実施形態に特有の特徴の説明として解釈されるべきである。別個の実施形態の文脈で記載されている特定の特徴は、単一の実施形態に組み合わせて実施されることもできる。逆に、単一の実施形態の文脈で説明される様々な特徴は、複数の実施形態で別々に、又は任意の適切なサブコンビネーションで実施されてもよい。
【０１３２】
本開示について、構造的特徴及び／又は方法論的動作に特有の用語で説明したが、添付の請求の範囲で限定される本開示は、必ずしも上記の特定の特徴又は動作に限定されないことを理解されたい。むしろ、上記の特定の特徴及び動作は、請求の範囲を実施する例示的な形態として開示されている。
【図１】
2022502878.tif 000082
【図２】
2022502878.tif 000083
【図３Ａ】
2022502878.tif 000084
【図３Ｂ】
2022502878.tif 000085
【図３Ｃ】
2022502878.tif 000086
【図４】
2022502878.tif 000087
【図５】
2022502878.tif 000088
【図６】
2022502878.tif 000089
【図７】
2022502878.tif 000090
【図８】
2022502878.tif 000091
【手続補正書】
【提出日】令和3年4月7日(2021.4.7)
【手続補正１】
【補正対象書類名】特許請求の範囲
【補正対象項目名】全文
【補正方法】変更
【補正の内容】
【特許請求の範囲】
【請求項１】
端末デバイスで実行される方法であって、
参照信号と、少なくとも１つのコードブックサブセット制限（ＣＢＳＲ）を示すコードブック構成とを、ネットワークデバイスから受信することと、
前記端末デバイスと前記ネットワークデバイスとの間のビームセットのうち、前記少なくとも１つのＣＢＳＲに少なくとも部分的に基づいて選択された複数のビームに関連付けられる少なくとも１つのプリコーディングマトリクスインジケータ（ＰＭＩ）を、前記参照信号に基づいて決定することと、
前記少なくとも１つのＰＭＩを前記ネットワークデバイスに送信することと、
を含む方法。
【請求項２】
前記コードブック構成と前記参照信号とを受信することは、
前記ネットワークデバイスから無線リソース制御（ＲＲＣ）シグナリングを受信することと、
前記ＲＲＣシグナリングに基づいて、前記ネットワークデバイスのアンテナアレイの第１及び第２の次元におけるアンテナポートの数、及び前記ネットワークデバイスの前記アンテナアレイの前記第１及び第２の次元における前記アンテナポートの数に対応するオーバーサンプリング係数を決定することと、
前記ネットワークデバイスの前記アンテナアレイの前記第１及び第２の次元における前記アンテナポートの数と、前記ネットワークデバイスの前記アンテナアレイの前記第１及び第２の次元における前記アンテナポートの数に対応するオーバーサンプリング係数とに少なくとも基づいて、前記参照信号を受信することと、を含む、
請求項１に記載の方法。
【請求項３】
前記ネットワークデバイスから受信した無線リソース制御（ＲＲＣ）シグナリングから、前記少なくとも１つのＣＢＳＲのうちの第１のＣＢＳＲを取得することを、さらに含み、
前記第１のＣＢＳＲが、前記ビームセットから選択された第３の数の第１のビームグループと、前記ビームセットから選択された第４の数のビームとを示す、
請求項１に記載の方法。
【請求項４】
前記少なくとも１つのＰＭＩを決定することは、
前記第１のＣＢＳＲと、前記ネットワークデバイスのアンテナアレイの第１及び第２の次元におけるアンテナポートの数と、前記ネットワークデバイスの前記アンテナアレイの前記第１及び第２の次元における前記アンテナポートの数に対応するオーバーサンプリング係数とに基づいて、前記第４の数のビームから選択された第２の数のビームを含むグループを示す第１のＰＭＩ、及び前記第２の数のビームを含む前記グループから選択された第１の数のビームを示す第２のＰＭＩのうち、少なくとも１つを決定することを含む、
請求項３に記載の方法。
【請求項５】
前記ネットワークデバイスから受信されたＲＲＣシグナリングから、前記少なくとも１つのＣＢＳＲのうちの第２のＣＢＳＲであって、前記ビームセットから選択された第５の数の第２のビームグループと、前記ビームセットから選択された第６の数のビームとを示す前記第２のＣＢＳＲを取得することと、
前記第１のＰＭＩと、第２のＰＭＩと、前記第２のＣＢＳＲとに基づいて決定された第７の数のビームの少なくとも１つの広帯域振幅係数を示す第３のＰＭＩを決定することとを、含む、
請求項４に記載の方法。
【請求項６】
前記第７の数のビームの少なくとも１つのサブバンド振幅係数を示す第４のＰＭＩを決定することを、さらに含む、
請求項５に記載の方法。
【請求項７】
ネットワークデバイスで実行される方法であって、
参照信号と、少なくとも１つのコードブックサブセット制限（ＣＢＳＲ）を示すコードブック構成とを、端末デバイスに送信することと、
前記端末デバイスと前記ネットワークデバイスとの間のビームセットのうち、前記少なくとも１つのＣＢＳＲに少なくとも部分的に基づいて選択された複数のビームに関連付けられる少なくとも１つのプリコーディングマトリクスインジケータ（ＰＭＩ）を受信することと、を含み、
前記少なくとも１つのＰＭＩは、前記参照信号に基づいて前記端末デバイスによって決定される、
方法。
【請求項８】
前記少なくとも１つのＰＭＩから目標ビームを決定することと、
前記目標ビームを介して前記端末デバイスに信号を送信することを、さらに含む、
請求項７に記載の方法。
【請求項９】
端末デバイスであって、
プロセッサと、
前記プロセッサに結合され、命令が格納されたメモリと、
を備え、
前記命令が前記プロセッサによって実行される場合、前記端末デバイスに、
参照信号と、少なくとも１つのコードブックサブセット制限（ＣＢＳＲ）を示すコードブック構成とを、ネットワークデバイスから受信することと、
前記端末デバイスと前記ネットワークデバイスとの間のビームセットのうち、前記少なくとも１つのＣＢＳＲに少なくとも部分的に基づいて選択された複数のビームに関連付けられる少なくとも１つのプリコーディングマトリクスインジケータ（ＰＭＩ）を、前記参照信号に基づいて決定することと、
前記少なくとも１つのＰＭＩを前記ネットワークデバイスに送信することと、
を実行させる、端末デバイス。
【請求項１０】
前記命令が前記プロセッサによって実行される場合、前記端末デバイスに、前記コードブック構成と前記参照信号とを受信するように実行させることは、
前記ネットワークデバイスから無線リソース制御（ＲＲＣ）シグナリングを受信することと、
前記ＲＲＣシグナリングに基づいて、前記ネットワークデバイスのアンテナアレイの第１及び第２の次元におけるアンテナポートの数、及び前記ネットワークデバイスの前記アンテナアレイの前記第１及び第２の次元における前記アンテナポートの数に対応するオーバーサンプリング係数を決定することと、
前記ネットワークデバイスの前記アンテナアレイの前記第１及び第２の次元における前記アンテナポートの数と、前記ネットワークデバイスの前記アンテナアレイの前記第１及び第２の次元における前記アンテナポートの数に対応するオーバーサンプリング係数とに少なくとも基づいて、前記参照信号を受信することと、を前記端末デバイスに実行させることを含む、
請求項９に記載の端末デバイス。
【請求項１１】
前記命令が前記プロセッサによって実行される場合、前記端末デバイスに、
前記ネットワークデバイスから受信した無線リソース制御（ＲＲＣ）シグナリングから、前記少なくとも１つのＣＢＳＲのうちの第１のＣＢＳＲを取得することを、さらに実行させ、
前記第１のＣＢＳＲは、前記ビームセットから選択された第３の数の第１のビームグループと、前記ビームセットから選択された第４の数のビームとを示す、
請求項９に記載の端末デバイス。
【請求項１２】
前記命令が前記プロセッサによって実行される場合、前記端末デバイスに、前記少なくとも１つのＰＭＩを決定するように実行させることは、
前記第１のＣＢＳＲと、前記ネットワークデバイスのアンテナアレイの第１及び第２の次元におけるアンテナポートの数と、前記ネットワークデバイスの前記アンテナアレイの前記第１及び第２の次元における前記アンテナポートの数に対応するオーバーサンプリング係数とに基づいて、前記第４の数のビームから選択された第２の数のビームを含むグループを示す第１のＰＭＩ、及び前記第２の数のビームを含む前記グループから選択された第１の数のビームを示す第２のＰＭＩのうち、少なくとも１つを決定することを、前記端末デバイスに実行させることを含む、
請求項１１に記載の端末デバイス。
【請求項１３】
前記命令が前記プロセッサによって実行される場合、前記端末デバイスに、
前記ネットワークデバイスから受信されたＲＲＣシグナリングから、前記少なくとも１つのＣＢＳＲのうちの第２のＣＢＳＲであって、前記ビームセットから選択された第５の数の第２のビームグループと、前記ビームセットから選択された第６の数のビームとを示す前記第２のＣＢＳＲを取得することと、
前記第１のＰＭＩと、第２のＰＭＩと、前記第２のＣＢＳＲとに基づいて決定された第７の数のビームの少なくとも１つの広帯域振幅係数を示す第３のＰＭＩを決定することとを、実行させる、
請求項１２に記載の端末デバイス。
【請求項１４】
前記命令が前記プロセッサによって実行される場合、前記端末デバイスに、
前記第７の数のビームの少なくとも１つのサブバンド振幅係数を示す第４のＰＭＩを決定することを、さらに実行させる、
請求項１３に記載の端末デバイス。
【国際調査報告】
2022502878.tif 000092
2022502878.tif 000093